(57)【特許請求の範囲】
【請求項１】
ワイヤレス通信の方法であって、
ユーザ装置（ＵＥ）によって、第１のネットワークの基地局からシステム情報を受信することであって、前記システム情報が、
ランダムアクセス要求の送信のための情報を示すランダムアクセス構成と、
より低い周波数バンド、前記より低い周波数バンドは、アップリンク専用通信のために前記第１のネットワークによって使用され、また前記第１のネットワークの無線アクセス技術とは異なる第２のネットワークの無線アクセス技術の周波数分割複信（ＦＤＤ）アップリンク通信のためにも使用される、と、
より高い周波数バンド、前記より高い周波数バンドは、時分割複信（ＴＤＤ）通信のために前記第１のネットワークに指定され、前記より高い周波数バンドは、前記より低い周波数バンドより高い周波数にある、と、
アップリンク専用通信のために前記第１のネットワークによって使用される複数のより低い周波数バンド、前記複数のより低い周波数バンドは、前記より低い周波数バンドを含む、と、
を示す、ことと、
前記ＵＥによって、前記ランダムアクセス構成に基づいて、前記より低い周波数バンドにおいて前記基地局に前記ランダムアクセス要求を送信することと、
前記ＵＥによって、前記ランダムアクセス要求に応答して、前記より高い周波数バンドにおいて前記基地局からランダムアクセス応答を受信することと、
を備える、方法。
【請求項２】
前記第２のネットワークは、ロングタームエボリューション（ＬＴＥ）ネットワークである、請求項１に記載の方法。
【請求項３】
前記システム情報を前記受信することは、前記より高い周波数バンドにおいて前記システム情報を受信することを含む、請求項１に記載の方法。
【請求項４】
前記ＵＥによって、前記より低い周波数バンドにおいて前記基地局に接続要求を送信することをさらに備える、請求項１に記載の方法。
【請求項５】
前記ＵＥによって前記ランダムアクセス要求を前記送信することが、前記より低い周波数バンドと比較した前記より高い周波数バンドにおけるより高い経路損失に起因して、初期ネットワークアクセスを改善するために前記より高い周波数バンドの代わりに前記より低い周波数バンドで行われる、請求項１に記載の方法。
【請求項６】
ワイヤレス通信の方法であって、
第１のネットワークの基地局によってシステム情報を送信することであって、前記システム情報が、
ランダムアクセス要求の送信のための情報を示すランダムアクセス構成と、
より低い周波数バンド、前記より低い周波数バンドは、アップリンク専用通信のために前記第１のネットワークによって使用され、また前記第１のネットワークの無線アクセス技術とは異なる第２のネットワークの無線アクセス技術の周波数分割複信（ＦＤＤ）アップリンク通信のためにも使用される、と、
より高い周波数バンド、前記より高い周波数バンドは、時分割複信（ＴＤＤ）通信のために前記第１のネットワークに指定され、前記より高い周波数バンドは、前記より低い周波数バンドより高い周波数にある、と、
アップリンク専用通信のために前記第１のネットワークによって使用される複数のより低い周波数バンド、前記複数のより低い周波数バンドは、前記より低い周波数バンドを含む、と、
を示す、ことと、
前記基地局によって、ユーザ装置（ＵＥ）から、前記ランダムアクセス構成に基づいて、前記より低い周波数バンドにおいてランダムアクセス要求を受信することと、
前記基地局によって、前記ＵＥに、前記ランダムアクセス要求に応答して、前記より高い周波数バンドにおいてランダムアクセス応答を送信することと、
を備える、方法。
【請求項７】
前記第２のネットワークは、ロングタームエボリューション（ＬＴＥ）ネットワークである、請求項６に記載の方法。
【請求項８】
前記システム情報を前記送信することは、前記より高い周波数バンドにおいて前記システム情報を送信することを含む、請求項６に記載の方法。
【請求項９】
前記基地局によって、前記より低い周波数バンドにおいて前記ＵＥから接続要求を受信することをさらに備える、請求項６に記載の方法。
【請求項１０】
前記基地局によって前記ランダムアクセス要求を前記受信することが、前記より低い周波数バンドと比較した前記より高い周波数バンドにおけるより高い経路損失に起因して、初期ネットワークアクセスを改善するために前記より高い周波数バンドの代わりに前記より低い周波数バンドで行われる、請求項６に記載の方法。
【請求項１１】
装置であって、
トランシーバを備え、前記トランシーバは、
第１のネットワークの基地局からシステム情報を受信することであって、前記システム情報が、
ランダムアクセス要求の送信のための情報を示すランダムアクセス構成と、
より低い周波数バンド、前記より低い周波数バンドは、アップリンク専用通信のために前記第１のネットワークによって使用され、また前記第１のネットワークの無線アクセス技術とは異なる無線アクセス技術の周波数分割複信（ＦＤＤ）アップリンク通信のためにも使用される、と、
より高い周波数バンド、前記より高い周波数バンドは、時分割複信（ＴＤＤ）通信のために前記第１のネットワークに指定され、前記より高い周波数バンドは、前記より低い周波数バンドより高い周波数にある、と、
アップリンク専用通信のために前記第１のネットワークによって使用される複数のより低い周波数バンド、前記複数のより低い周波数バンドは、前記より低い周波数バンドを含む、と、
を示す、ことと、
前記ランダムアクセス構成に基づいて、前記より低い周波数バンドにおいて前記基地局にランダムアクセス要求を送信することと、
前記ランダムアクセス要求に応答して、前記より高い周波数バンドにおいて前記基地局からランダムアクセス応答を受信することと、
を行うように構成される、装置。
【請求項１２】
前記トランシーバは、前記より高い周波数バンドにおいて前記システム情報を受信するようにさらに構成される、請求項１１に記載の装置。
【請求項１３】
前記トランシーバは、前記より低い周波数バンドにおいて前記基地局に接続要求を送信するようにさらに構成される、請求項１１に記載の装置。
【請求項１４】
前記ランダムアクセス要求を前記送信することが、前記より低い周波数バンドと比較した前記より高い周波数バンドにおけるより高い経路損失に起因して、初期ネットワークアクセスを改善するために前記より高い周波数バンドの代わりに前記より低い周波数バンドで行われる、請求項１１に記載の装置。
【請求項１５】
装置であって、
第１のネットワークの基地局のトランシーバを備え、前記トランシーバは、
システム情報を送信することであって、前記システム情報が、
ランダムアクセス要求の送信のための情報を示すランダムアクセス構成と、
より低い周波数バンド、前記より低い周波数バンドは、アップリンク専用通信のために前記第１のネットワークによって使用され、また前記第１のネットワークの無線アクセス技術とは異なる無線アクセス技術の周波数分割複信（ＦＤＤ）アップリンク通信のためにも使用される、と、
より高い周波数バンド、前記より高い周波数バンドは、時分割複信（ＴＤＤ）通信のために前記第１のネットワークに指定され、前記より高い周波数バンドは、前記より低い周波数バンドより高い周波数にある、と、
を示す、ことと、
アップリンク専用通信のために前記第１のネットワークによって使用される複数のより低い周波数バンド、前記複数のより低い周波数バンドは、前記より低い周波数バンドを含む、と、
ユーザ装置（ＵＥ）から、前記より低い周波数バンドにおいてランダムアクセス要求を受信することと、
前記ＵＥに、前記ランダムアクセス要求に応答して、前記より高い周波数バンドにおいてランダムアクセス応答を送信することと、
を行うように構成される、装置。
【請求項１６】
前記トランシーバは、前記より高い周波数バンドにおいて前記システム情報を送信するようにさらに構成される、請求項１５に記載の装置。
【請求項１７】
前記基地局の前記トランシーバは、前記より低い周波数バンドにおいて前記ＵＥから接続要求を受信するようにさらに構成される、請求項１５に記載の装置。
【請求項１８】
前記ランダムアクセス要求を前記受信することが、前記より低い周波数バンドと比較した前記より高い周波数バンドにおけるより高い経路損失に起因して、初期ネットワークアクセスを改善するために前記より高い周波数バンドの代わりに前記より低い周波数バンドで行われる、請求項１５に記載の装置。
【発明の詳細な説明】
【技術分野】
【０００１】
［関連出願の相互参照］
[0001]  本出願は、２０１７年１２月１９日に出願された米国非仮特許出願第１５／８４７，２１４号、および２０１７年４月２７日に出願された米国仮特許出願第６２／４９１，０１３号に対する優先権および利益を主張し、それらはこれにより、その全体があたかも以下に完全に記載されるように、且つすべての適用可能な目的のために、参照によって組み込まれる。
【０００２】
［技術分野］
[0002]  本開示において説明される技術は、一般にワイヤレス通信システムに関し、より具体的には、無線アクセスネットワーク（ＲＡＮ）がアップリンク（ＵＬ）通信のための追加的なコンポーネントキャリアを使用することを可能にすることに関する。実施形態は、リソース利用効率およびＵＬカバレッジを改善するための解決策および技法を可能にするおよび提供する。
【背景技術】
【０００３】
［イントロダクション］
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム）を含む。ワイヤレス多元接続通信システムは、いくつかの基地局（ＢＳ）を含み得、それらの各々は、別名ユーザ装置（ＵＥ）として知られ得る複数の通信デバイスのための通信を同時にサポートする。
【０００４】
[0004]  拡張された接続性のための増大する需要を満たすために、ワイヤレス通信技術または無線アクセス技術は、ＬＴＥ技術から次世代の新無線（ＮＲ）技術へと進歩している。接続性を拡張させるための１つの技法は、周波数動作範囲をより高い周波数へと拡張することであり得、それはより低い周波数が混雑しすぎてきているからである。例えば、ＬＴＥは、低周波数範囲（例えば、１ギガヘルツ（ＧＨｚ）を下回る）から中間周波数範囲（例えば、約１ＧＨｚから約３ＧＨｚの間）の間で動作し得、次世代ＮＲは、高周波数範囲（例えば、約３ＧＨｚから約３０ＧＨｚの間）で動作し得る。
【０００５】
[0005]  ＬＴＥ展開は、成長および拡張を続けており、次世代ＮＲへと遷移しつつあるが、ＬＴＥとＮＲとの間の共存のためのサポートは重要であり得る。共存を提供するための１つのアプローチは、ＬＴＥコンポーネントキャリア上でＬＴＥデバイスを動作させ続け、さらに、ＬＴＥコンポーネントキャリアとは区別されたＮＲコンポーネントキャリア上でＮＲデバイスを動作させることである。別のアプローチは、ＬＴＥおよびＮＲ上でデュアル接続性を可能にすることであり、ここでＬＴＥおよびＮＲ接続性の両方をサポートするデバイスは、（例えば、ＬＴＥコンポーネントキャリア上で）ＬＴＥプライマリセル（Ｐセル）を介してＬＴＥネットワークへの初期アクセスを得て、続いてＮＲ動作のために（例えば、ＮＲコンポーネントキャリア上で）セカンダリセル（Ｓセル）を追加するように構成されることができる。したがって、ＮＲデバイスがＮＲコンポーネントキャリア上で動作するように制限されるのに対して、デュアル接続性デバイスは、ＬＴＥおよびＮＲコンポーネントキャリアの両方をうまく活用することができる。
【発明の概要】
【０００６】
［いくつかの例の簡単な概要］
[0006]  説明される技術の基本的な理解を提供するために本開示のいくつかの態様の概要を以下に記す。この概要は、本開示の考慮されるすべての特徴の広範な概観ではなく、そして本開示のすべての態様の主要または重要な要素を特定するようにも、本開示の任意またはすべての態様の範囲を詳細に叙述するようにも、意図されていない。その唯一の目的は、後に提示されるより詳細な説明への前置きとして、本開示の１つまたは複数の態様のいくつか概念を概要の形式で提示することである。
【０００７】
[0007]  本開示の実施形態は、ロングタームエボリューション（ＬＴＥ）アップリンク（ＵＬ）コンポーネントキャリアのような追加的なコンポーネントキャリアを介して初期ネットワークアクセスを得るための特定の時分割複信（ＴＤＤ）無線アクセス技術（例えば、新無線（ＮＲ）ベースの技術）のユーザ装置（ＵＥ）のためのメカニズムを提供する。例えば、ＮＲネットワークは、ＴＤＤモードで動作し得、より高い周波数のＮＲコンポーネントキャリアを１つまたは複数のより低い周波数コンポーネントキャリアとペアにし得る。ＮＲ基地局（ＢＳ）は、より低い周波数のＵＬコンポーネントキャリアにおけるランダムアクセスリソースを示し得る。ＮＲ  ＵＥは、インジケーションに基づいて、より低い周波数のＵＬコンポーネントキャリアを使用してランダムアクセス要求を送信し得る。ランダムアクセスプロシージャは、ＵＬ通信についてはより低い周波数のＵＬコンポーネントキャリアを使用し、ＤＬ通信についてはより高い周波数のＮＲコンポーネントキャリアを使用して完了し得る。完了の際、ＮＲ  ＢＳは、ＵＬ通信についてより高い周波数のＮＲコンポーネントキャリアにスイッチするか、またはより低い周波数のＵＬコンポーネントキャリアを使用し続けるようにＮＲ  ＵＥを構成し得る。
【０００８】
[0008]  例えば、本開示の一態様では、第１の周波数バンドにおいて第１のワイヤレス通信デバイスによって、第１のネットワークにランダムアクセス要求を送信することと、ランダムアクセス要求に応答して、第１のワイヤレス通信デバイスによって、第１のネットワークの第２のワイヤレス通信デバイスからランダムアクセス応答を受信すること、ここにおいて、ランダムアクセス応答は、時分割複信（ＴＤＤ）通信のために第１のネットワークに割り振られた第２の周波数バンドにあり、第２の周波数バンドは、第１の周波数バンドとは異なる、と、を含む、ワイヤレス通信の方法。
【０００９】
[0009]  本開示の追加的な態様では、第１のワイヤレス通信デバイスによって、第１の周波数バンドにおいて第２のワイヤレス通信デバイスから、第１のネットワークへのランダムアクセス要求を受信することと、ランダムアクセス要求に応答して、第１のワイヤレス通信デバイスによって、第２のワイヤレス通信デバイスにランダムアクセス応答を送信すること、ここにおいて、ランダムアクセス応答は、時分割複信（ＴＤＤ）通信のために第１のネットワークに割り振られた第２の周波数バンドにあり、第２の周波数バンドは、第１の周波数バンドとは異なる、と、を含む、ワイヤレス通信の方法。
【００１０】
[0010]  本開示の追加的な態様では、第１の周波数バンドにおいて、第１のネットワークにランダムアクセス要求を送信することと、ランダムアクセス要求に応答して、第１のネットワークの第２のワイヤレス通信デバイスからランダムアクセス応答を受信すること、ここにおいて、ランダムアクセス応答は、時分割複信（ＴＤＤ）通信のために第１のネットワークに割り振られた第２の周波数バンドにあり、第２の周波数バンドは、第１の周波数バンドとは異なる、と、を行うように構成されるトランシーバを含む、装置。
【００１１】
[0011]  本開示の追加的な態様では、第１の周波数バンドにおいて第２のワイヤレス通信デバイスから、第１のネットワークへのランダムアクセス要求を受信することと、ランダムアクセス要求に応答して、第２のワイヤレス通信デバイスにランダムアクセス応答を送信すること、ここにおいて、ランダムアクセス応答は、時分割複信（ＴＤＤ）通信のために第１のネットワークに割り振られた第２の周波数バンドにあり、第２の周波数バンドは、第１の周波数バンドとは異なる、と、を行うように構成されるトランシーバを含む、装置。
【００１２】
[0012]  本発明の他の態様、特徴、および実施形態は、添付の図面と併せて、本発明の特定の例示的な実施形態の以下の説明を検討すると、当業者に明らかとなるであろう。本発明の特徴は、ある特定の実施形態および図に関連して以下で説明され得るが、本発明のすべての実施形態は、ここで説明される有利な特徴のうちの１つまたは複数を含むことができる。言い換えれば、１つまたは複数の実施形態が、ある特定の有利な特徴を有するものとして説明され得るが、そのような特徴のうちの１つまたは複数はまた、ここで説明される本発明の様々な実施形態に従って使用され得る。同様に、例示的な実施形態は、デバイス、システム、または方法の実施形態として以下で説明され得るが、そのような例示的な実施形態は、様々なデバイス、システム、および方法でインプリメントされることができることは理解されるべきである。
【図面の簡単な説明】
【００１３】
【図１】[0013]  図１は、本開示の実施形態によるワイヤレス通信ネットワークを例示する。
【図２】[0014]  図２は、本開示の実施形態による、ロングタームエボリューション（ＬＴＥ）デバイスおよび新無線（ＮＲ）デバイスを動作させるための周波数バンド使用状況を例示する。
【図３】[0015]  図３は、本開示の実施形態による、デュアル接続性デバイスを動作させるための周波数バンド使用状況を例示する。
【図４】[0016]  図４は、本開示の実施形態による、ＬＴＥアップリンク（ＵＬ）周波数スペクトルを共有する初期ＮＲネットワークアクセスの方法を例示する。
【図５】[0017]  図５は、本開示の実施形態による、ＬＴＥ  ＵＬ周波数スペクトルを共有する初期ＮＲネットワークアクセスの方法を例示する。
【図６】[0018]  図６は、本開示の実施形態による例示的なユーザ装置（ＵＥ）のブロック図である。
【図７】[0019]  図７は、本開示の実施形態による例示的な基地局（ＢＳ）のブロック図である。
【図８】[0020]  図８は、本開示の実施形態による、ＬＴＥ  ＵＬ周波数バンドを使用してＮＲネットワークへの初期アクセスを実施するための方法のシグナリング図を例示する。
【図９】[0021]  図９は、本開示の実施形態による、ＮＲネットワークへの初期ネットワークアクセスを実施する方法のフローダイアグラムである。
【図１０】[0022]  図１０は、本開示の実施形態による、ＮＲネットワークへの初期ネットワークアクセスを実施する方法のフローダイアグラムである。
【詳細な説明】
【００１４】
[0023]  添付図面に関連して以下に記載される詳細な説明は、様々な構成の説明として意図されており、ここに説明される概念が実施され得るのはこれらの構成のみにおいてであることを表すようには意図されていない。詳細な説明は、様々な概念の徹底した理解を提供することを目的として特定の詳細を含む。しかしながら、これらの概念がこれらの特定の詳細なしに実施され得ることは、当業者に明らかであろう。いくつかの事例では、そのような概念を曖昧にすることを避けるために、周知の構造およびコンポーネントは、ブロック図の形式で示される。
【００１５】
[0024]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）および他のネットワーク等の様々なワイヤレス通信ネットワークのために使用され得る。「ネットワーク」および「システム」という用語は、しばしば交換可能に使用される。ＣＤＭＡネットワークは、ユニバーサル地上波無線アクセス（ＵＴＲＡ）、ｃｄｍａ２０００等のような無線技術をインプリメントし得る。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標）：Global System for Mobile Communications）のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュＯＦＤＭＡ等のような無線技術をインプリメントし得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明される技法は、上述されたワイヤレスネットワークおよび無線技術、ならびに他のワイヤレスネットワークおよび無線技術、例えば、次世代（例えば、ミリ波バンドで動作する第５世代（５Ｇ））ネットワークのために使用され得る。
【００１６】
[0025]  本出願では、いくつかの例を例示することで複数の態様および実施形態が説明されるが、当業者は、追加的なインプリメンテーションおよび使用事例が多くの異なる配置および状況で生じ得ることを理解することになる。ここに説明されるイノベーションは、多くの異なるプラットフォームタイプ、デバイス、システム、形、サイズ、パッケージング配置にわたってインプリメントされ得る。例えば、実施形態および／または使用は、集積チップの実施形態および他の非モジュールコンポーネントベースのデバイス（例えば、エンドユーザデバイス、車両、通信デバイス、コンピューティングデバイス、産業機器、リテール／購買デバイス、医療デバイス、ＡＩによって使用可能なデバイス等）によって生じ得る。いくつか例は、複数の使用事例またはアプリケーションを具体的に対象とするまたはしない可能性があるが、説明されるイノベーションの適応可能性の広い組合せが生じ得る。インプリメンテーションは、説明されたイノベーションの１つまたは複数の態様を組み込んだ、チップレベルまたはモジュラーコンポーネントから、非モジュラー、非チップレベルインプリメンテーションにかけての、およびさらに、アグリゲート、分配された、またはＯＥＭデバイスまたはシステム（aggregate, distributed, or OEM devices or systems）にかけての範囲にわたり得る。いくつかの実用的な設定では、説明される態様および特徴を組み込んだデバイスはまた、必然的に、特許請求されるおよび説明される実施形態のインプリメンテーションおよび実施のための追加的なコンポーネントおよび特徴を含み得る。例えば、ワイヤレス信号の送信および受信は、必然的に、アナログおよびデジタル目的のためのいくつかのコンポーネント（例えば、例として加算器（adders）／加算器（summers）、インタリーバ、プロセッサ（１つまたは複数）、バッファ、変調器、電力増幅器、ＲＦチェーン、アンテナを含むハードウェアコンポーネント）を含む。ここに説明されるイノベーションは、様々なサイズ、形および構成の、多種多様なデバイス、チップレベルコンポーネント、システム、分配された配置、エンドユーザデバイス等で実施され得ることが意図されている。
【００１７】
[0026]  本開示は、ＵＬ通信について追加的なコンポーネントキャリアまたは周波数バンドを使用するための、ＮＲネットワークのためのメカニズムを説明する。いくつかの開示される実施形態では、ＮＲネットワークは、（例えば、ＬＴＥ  ＵＬ周波数バンド等の）１つまたは複数の追加的なＵＬ周波数バンドとペアにされたＮＲ周波数バンド上で動作し得る。ＮＲネットワークは、ＴＤＤモードで動作し得る。ＮＲ周波数バンドは、追加的なＵＬ周波数バンドより高い周波数に位置し得る。ＮＲ周波数バンドは、（例えば、約３ＧＨｚにおける）周波数しきい値より高い周波数を含み得る。追加的なＵＬ周波数バンドは、周波数しきい値より低い周波数を含み得る。ＮＲネットワークのＢＳは、ランダムアクセス構成を含むシステム情報をブロードキャストし得る。ランダムアクセス構成は、ＮＲネットワークへの初期アクセスを得るためにランダムアクセスプロシージャを実施するためのリソースを示し得る。ランダムアクセスリソースは、追加的なＵＬ周波数バンドのうちの１つであり得る。
【００１８】
[0027]  ＮＲネットワークへの初期アクセスを得るために、ＵＥは、ランダムアクセス要求（例えば、ランダムアクセスプリアンブル信号）を送信し得る。ランダムアクセス要求は、追加的なＵＬ周波数バンドにあり得、ＢＳは、ＮＲ周波数バンドにおいてランダムアクセス応答を送信することによって応答し得る。続いて、ＵＥは、ＢＳとの接続を確立するために、追加的なＵＬ周波数バンドにおいて接続要求を送信し得る。ＢＳは、ＮＲ周波数バンドにおいて接続応答を送信することによって応答し得る。接続を確立した後に、ＢＳは、ＵＬ通信についてＮＲ周波数バンドを使用するようにＵＥを再構成し得るか、またはＵＬ通信について追加的なＵＬ周波数バンドを使用し続けるようにＵＥを構成し得る。いくつかの実施形態では、１つまたは複数のＵＬ周波数バンドが別のネットワーク（例えば、ＬＴＥネットワークのような）と共有されるとき、ＮＲ  ＢＳは、追加的な周波数バンドへのアクセスを得るために、他のネットワークと調整または交渉し得る。
【００１９】
[0028]  本開示の態様は、いくつかの利益を提供することができる。例えば、ＬＴＥ  ＵＬ周波数バンドを共有することで、そうでなければ十分に活用されない可能性のあるＬＴＥ  ＵＬ周波数バンドにおける利用可能なリソースをＮＲネットワークが使用することを可能にすることができる。加えて、ＮＲ周波数バンドは、高い経路損失を有し得、且つ高い周波数が原因でＬＴＥ  ＵＬ周波数バンドよりも安定性が低い可能性がある。したがって、初期ネットワークアクセスプロシージャの間にＵＬ通信についてより低い周波数のＬＴＥ  ＵＬ周波数バンドまたは追加的なより低い周波数のＵＬ周波数バンドを使用することで、ＮＲネットワークＵＬカバレッジを改善することができる。開示される実施形態は、ＮＲネットワークとＬＴＥネットワークとの間の共存を可能にする。開示される実施形態は、共存をサポートするためにＮＲ物理レイヤにおける変化を最小化することができる。開示される実施形態は、ＬＴＥコンポーネントキャリア上で動作するレガシーＬＴＥデバイスに著しく影響することはない可能性がある。開示される実施形態はまた、同時のＬＴＥおよびＮＲ接続をサポートするデュアル接続性デバイスをサポートすることができる。
【００２０】
[0029]  開示される実施形態は、ＬＴＥ  ＵＬリソースを共有するＮＲネットワークの文脈で説明されるが、インプリメンテーションは他の状況でも生じ得る。例えば、いくつかの開示される実施形態は、ＵＬカバレッジを改善するために、別のネットワークと共有されるまたは共有されない可能性がある追加的なＵＬ周波数バンドをＴＤＤネットワークが利用することを可能にするように適用され得る。したがって、いくつかの事例では、ＬＴＥ  ＵＬ周波数バンドは、ＬＴＥネットワークの展開なしのＵＬ周波数バンドを指し得る。
【００２１】
[0030]  図１は、本開示の実施形態によるワイヤレス通信ネットワーク１００を例示する。ネットワーク１００は、ＢＳ１０５、ＵＥ１１５、およびコアネットワーク１３０を含む。ネットワーク１００は、セルラネットワークまたは非セルラワイヤレスネットワークであり得る。例えば、ネットワーク１００は、ＬＴＥネットワーク、ＬＴＥ−Ａネットワーク、ミリ波（ｍｍＷ）ネットワーク、新無線（ＮＲ）ネットワーク、５Ｇネットワーク、Ｐ２Ｐネットワーク、メッシュネットワーク、複数のデバイスが互いに通信するＤ２Ｄ、またはＬＴＥの任意の他の後継のネットワークであり得る。代替的に、ネットワーク１００は、ＬＴＥおよびＮＲの両方のような複数の無線アクセス技術（ＲＡＴ）をサポートする統合されたネットワークであり得る。ＢＳ１０５は、ＵＥ１１５と通信する局であり得、またトランシーバ基地局、ノードＢ、発展型ノードＢ（ｅノードＢ）、または次世代ノードＢ（ｇＮＢ）、アクセスポイント等とも呼ばれ得る。
【００２２】
[0031]  ＢＳ１０５は、１つまたは複数のＢＳアンテナを介してＵＥ１１５とワイヤレスに通信し得る。各ＢＳ１０５は、それぞれの地理的なカバレッジエリア１１０に通信カバレッジを提供し得る。３ＧＰＰでは、「セル」とう用語は、この用語が使用される文脈に応じて、ＢＳのこの特定の地理的なカバレッジエリアおよび／またはカバレッジエリアにサービス提供しているＢＳサブシステムを指すことができる。この点について、ＢＳ１０５は、マクロセル、ピコセル、フェムトセル、および／または他のタイプのセルに通信カバレッジを提供し得る。マクロセルは一般に、比較的広い地理的エリア（例えば、半径数キロメートル）をカバーし、ネットワークプロバイダにサービス加入しているＵＥによる無制限のアクセスを可能にし得る。ピコセルは一般に、比較的より狭い地理的エリアをカバーし得、ネットワークプロバイダにサービス加入しているＵＥによる無制限のアクセスを可能にし得る。フェムトセルもまた一般に、比較的狭い地理的エリア（例えば、住宅）をカバーし得、無制限のアクセスに加えて、このフェムトセルと関連のあるＵＥ（例えば、クローズド加入者グループ（ＣＳＧ：closed subscriber group）内のＵＥ、住宅の中にいるユーザに関するＵＥ等）による制限付きのアクセスも提供し得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１０５ａ、１０５ｂ、および１０５ｃは、それぞれカバレッジエリア１１０ａ、１１０ｂ、および１１０ｃのためのマクロＢＳの例である。ＢＳ１０５ｄは、カバレッジエリア１１０ｄのためのフェムトＢＳまたはピコＢＳの例である。認識されることになるように、ＢＳ１０５は、１つのまたは複数（例えば、２つ、３つ、４つ等）のセルをサポートし得る。
【００２３】
[0032]  ネットワーク１００に示される通信リンク１２５は、ＵＥ１１５からＢＳ１０５へのアップリンク（ＵＬ）送信、またはＢＳ１０５からＵＥ１１５へのダウンリンク（ＤＬ）送信を含み得る。ＵＥ１１５は、ネットワーク１００全体に分散され得、各ＵＥ１１５は、固定式またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。ＵＥ１１５はまた、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、インターネットオブシングス（ＩｏＴ）デバイス、インターネットオブエブリシング（ＩｏＥ）デバイス、マシンタイプ通信（ＭＴＣ）デバイス、電化製品、自動車、エンタテイメントデバイス、医療デバイス、ウェアラブルデバイス、産業機器、または同様のものであり得る。
【００２４】
[0033]  ＢＳ１０５は、コアネットワーク１３０と通信し得る、および互いに通信し得る。コアネットワーク１３０は、ユーザ認証、アクセス許可、トラッキング、インターネットプロトコル（ＩＰ）接続性、および他のアクセス、ルーティング、またはモビリティ機能を提供し得る。（例えば、発展型ノードＢ（ｅＮＢ）またはアクセスノードコントローラ（ＡＮＣ）の例であり得る）ＢＳ１０５のうちの少なくともいくつかは、バックホールリンク１３２（例えば、Ｓ１、Ｓ２等）を通してコアネットワーク１３０とインタフェースし得、ＵＥ１１５との通信のためのスケジューリングおよび無線構成を実施し得る。様々な例において、ＢＳ１０５は、ワイヤードまたはワイヤレス通信リンクであり得るバックホールリンク１３４（例えば、Ｘ１、Ｘ２等）上で互いに（例えば、コアネットワーク１３０を通して）直接的にまたは間接的に通信し得る。
【００２５】
[0034]  各ＢＳ１０５はまた、いくつかの他のＢＳ１０５を通していくつかのＵＥ１１５と通信し得、ここでＢＳ１０５は、スマート無線ヘッドの例であり得る。代替的な構成では、各ＢＳ１０５の様々な機能は、様々なＢＳ１０５（例えば、無線ヘッドおよびアクセスネットワークコントローラ）を越えて分配され得るか、または単一のＢＳ１０５に集約され得る。
【００２６】
[0035]  いくつかのインプリメンテーションでは、ネットワーク１００は、ダウンリンク上では直交周波数分割多重（ＯＦＤＭ）を利用し、ＵＬ上では単一キャリア周波数分割多重（ＳＣ−ＦＤＭ）を利用する。ＯＦＤＭおよびＳＣ−ＦＤＭは、システムバンド幅を複数の（Ｋ個の）直交サブキャリアに区分し、それらはまた一般にトーン、ビン等とも呼ばれる。各サブキャリアは、データで変調され得る。一般に、変調シンボルは、周波数領域ではＯＦＤＭで送られ、時間領域ではＳＣ−ＦＤＭで送られる。隣接した複数のサブキャリア間の間隔（spacing）は、固定的なものであり得、サブキャリアの総数（Ｋ）は、システムバンド幅に依存し得る。システムバンド幅はまた、サブバンドに区分され得る。
【００２７】
[0036]  一実施形態では、ＢＳ１０５は、ネットワーク１００におけるＤＬおよびＵＬ送信のために（例えば、時間周波数リソースブロックの形式で）送信リソースを割り当てるまたはスケジュールすることができる。ＤＬは、ＢＳ１０５からＵＥ１１５への送信方向を指し、一方でＵＬは、ＵＥ１１５からＢＳ１０５への送信方向を指す。通信は、無線フレームの形式であることができる。無線フレームは、複数のサブフレーム、例えば、約１０個に分割され得る。各サブフレームは、複数のスロット、例えば、約２個に分割されることができる。周波数分割複信（ＦＤＤ）モードでは、同時のＵＬおよびＤＬ送信が、異なる周波数バンドで生じ得る。例えば、各サブフレームは、ＵＬ周波数バンドにおいてＵＬサブフレームを、およびＤＬ周波数バンドにおいてＤＬサブフレームを、含む。時分割複信（ＴＤＤ）モードでは、ＵＬおよびＤＬ送信は、同じ周波数バンドを使用して異なる時間期間において生じる。例えば、無線フレームにおけるサブフレームのあるサブセット（例えば、ＤＬサブフレーム）は、ＤＬ送信のために使用され得、その無線フレームにおけるサブフレーム別のサブセット（例えば、ＵＬサブフレーム）は、ＵＬ送信のために使用され得る。
【００２８】
[0037]  ＤＬサブフレームおよびＵＬサブフレームは、いくつかの領域にさらに分割されることができる。例えば、各ＤＬまたはＵＬサブフレームは、基準信号、制御情報およびデータの送信のための事前に定義された複数の領域を有し得る。基準信号は、ＢＳ１０５とＵＥ１１５との間の通信を容易にする所定の信号である。例えば、基準信号は、特定のパイロットパターンまたは構造を有することができ、ここでパイロットトーンは、動作バンド幅または周波数バンドを超えて広がり得、各々が事前に定義された時間および事前に定義された周波数に位置する。例えば、ＢＳ１０５は、ＵＥ１１５がＤＬチャネルを推定することを可能にするために、セル固有の基準信号（ＣＲＳ）および／またはチャネル状態情報基準信号（ＣＳＩ−ＲＳ）を送信し得る。同様に、ＵＥ１１５は、ＢＳ１０５がＵＬチャネルを推定することを可能にするために、サウンディング基準信号（ＳＲＳ）を送信し得る。制御情報は、リソース割り当ておよびプロトコル制御を含み得る。データは、プロトコルデータおよび／または動作データを含み得る。いくつかの実施形態では、ＢＳ１０５およびＵＥ１１５は、自己充足型サブフレーム（self-contained subframes）を使用して通信し得る。自己充足型サブフレームは、ＤＬ通信用の部分とＵＬ通信用の部分とを含み得る。自己充足型サブフレームは、ＤＬ中心またはＵＬ中心であることができる。ＤＬ中心サブフレームは、ＵＬ通信と比べてＤＬ通信についてより長い持続時間を含み得る。ＵＬ中心サブフレームは、ＤＬ通信と比べてＵＬ通信についてより長い持続時間を含み得る。
【００２９】
[0038]  一実施形態では、ＢＳ１０５は、同期を容易にするために、ネットワーク１００において（例えば、プライマリ同期信号（ＰＳＳ）およびセカンダリ同期信号（ＳＳＳ）を含む）同期信号を送信することができる。ＢＳ１０５は、初期ネットワークアクセスを容易にするために、（例えば、マスター情報ブロック（ＭＩＢ）、残余最小システム情報（ＲＭＳＩ）、および他のシステム情報（ＯＳＩ）を含む）ネットワーク１００に関連するシステム情報をブロードキャストすることができる。
【００３０】
[0039]  一実施形態では、ネットワーク１００にアクセスすることを試みるＵＥ１１５は、ＢＳ１０５からのＰＳＳを検出することによって、初期セル探索を実施し得る。ＰＳＳは、期間タイミングの同期を可能にし得、物理レイヤ識別値を示し得る。ＵＥ１１５は次いで、ＳＳＳを受信し得る。ＳＳＳは、無線フレーム同期を可能にし得、およびセル識別値を提供し得、それはセルを識別するために物理レイヤ識別値と組み合わせられ得る。ＳＳＳはまた、サイクリックプリフィックス長および複信モードの検出を可能にし得る。ＴＤＤシステム等のいくつかのシステムは、ＳＳＳを送信し得るがＰＳＳは送信しない可能性がある。ＰＳＳおよびＳＳＳの両方は、それぞれキャリアの中央部分に位置し得る。ＰＳＳおよびＳＳＳを受信した後に、ＵＥ１１５は、ＭＩＢを受信し得、それは物理ブロードキャストチャネル（ＰＢＣＨ）において送信され得る。ＭＩＢは、ＯＳＩおよび／またはＲＭＳＩのためのスケジューリング情報および初期ネットワークアクセスのためのシステム情報を含み得る。ＭＩＢを復号した後に、ＵＥ１０５は、ＲＭＳＩおよび／またはＯＳＩを受信し得る。ＲＭＳＩおよび／またはＯＳＩは、セルバーリング、ＳＲＳ、電力制御、物理アップリンク共有チャネル（ＰＵＳＣＨ）、物理アップリンク制御チャネル（ＰＵＣＣＨ）、ページング、ランダムアクセスチャネル（ＲＡＣＨ）プロシージャに関連する無線リソース構成（ＲＲＣ）構成情報を含み得る。ＭＩＢおよび／またはＳＩＢを取得した後に、ＵＥ１１５は、ＢＳ１０５との接続を確立するために、ランダムアクセスプロシージャを実施することができる。接続を確立した後に、ＵＥ１１５およびＢＳ１０５は、通常動作ステージに入ることができ、ここで動作データが交換され得る。
【００３１】
[0040]  いくつかの実施形態では、ネットワーク１００は、ＬＴＥおよびＮＲの両方をサポートする統合されたネットワークであり得る。そのような実施形態では、ネットワーク１００は、ＬＴＥスペクトルまたはＬＴＥコンポーネントキャリアおよびＮＲスペクトルまたはＮＲコンポーネントキャリア上で動作し得る。ＬＴＥスペクトルは、１ＧＨｚを下回る低周波数バンドおよび約１ＧＨｚから約３ＧＨｚの間の中間周波数バンドを含み得る。ＮＲスペクトルは、サブ６ＧＨｚ周波数バンドおよびミリ波バンドを含み得る。ＢＳ１０５は、ＬＴＥ  ＢＳおよびＮＲ  ＢＳを含み得る。いくつかの実施形態では、ＬＴＥ  ＢＳおよびＮＲ  ＢＳは、同一場所に配置され得る。例えば、ＢＳ１０５は、ＬＴＥおよびＮＲについて異なるソフトウェアコンポーネントまたはスタックを実行することによってＬＴＥおよびＮＲの両方をインプリメントするために同じハードウェアを用い得る。加えて、ＵＥ１１５は、スタンドアロンＬＴＥデバイスおよびスタンドアロンＮＲデバイスを含み得る。スタンドアロンＬＴＥデバイスは、ＬＴＥ接続性をサポートするが、ＮＲはサポートしない。逆に、スタンドアロンＮＲデバイスは、ＮＲ接続性をサポートするが、ＬＴＥはサポートしない。代替的に、いくつかのＵＥ１１５は、デュアルＬＴＥ−ＮＲ接続性をサポートし得る。接続性の様々な組合せについての通信メカニズムおよび周波数バンドプランがここでより詳細に説明される。
【００３２】
[0041]  図２および図３は、あるエリアにおけるＬＴＥとＮＲとの共存をサポートするためにネットワーク１００によって用いられ得る周波数バンドプランを例示する。図２および図３では、ｘ軸は、いくつかのコンスタントなユニットにおける周波数を表す。
【００３３】
[0042]  図２は、本開示の実施形態によるＬＴＥデバイスおよびＮＲデバイスを動作させるための周波数バンド使用状況２００を例示する。スタンドアロンまたはレガシーＬＴＥデバイスおよびスタンドアロンＮＲデバイスは、ＵＥ１１５に対応し得る。スタンドアロンＬＴＥデバイスは、初期ネットワークアクセスおよび後続の通常動作のためのＬＴＥ通信プロトコルに基づいて、ＢＳ１０５と同様にＬＴＥ  ＢＳと通信し得る。スタンドアロン  ＮＲデバイスは、初期ネットワークアクセスおよび後続の通常動作のためのＮＲ通信プロトコルに基づいて、ＢＳ１０５と同様にＮＲ  ＢＳと通信し得る。
【００３４】
[0043]  状況２００は、ＬＴＥ  ＵＬコンポーネントキャリアまたは周波数バンド２０２、ＬＴＥ  ＤＬコンポーネントキャリアまたは周波数バンド２０４およびＮＲコンポーネントキャリアまたは周波数バンド２０６を含む。ＬＴＥ周波数バンド２０２および２０４は、周波数範囲２０８にあり、それは、約７００メガヘルツ（ＭＨｚ）から約３ＧＨｚの間であり得る。ＬＴＥ  ＵＬ周波数バンド２０２は、典型的に、ＬＴＥ  ＤＬ周波数バンド２０４より低い周波数に位置する。ＮＲ周波数バンド２０６は、周波数範囲２０９にあり、それは、サブ６ＧＨｚバンドまたはミリ波バンドにあり得る。いくつかの実施形態では、ＬＴＥ  ＵＬ周波数バンド２０２は、１ＧＨｚより低く位置し得、ＬＴＥ  ＤＬ周波数バンド２０４は、２ＧＨｚあたりに位置し得、およびＮＲ周波数バンド２０６は、３．５ＧＨｚあたりに位置し得る。説明の簡潔性のために、図２は、１つのＬＴＥ  ＵＬ周波数バンド２０２、１つのＬＴＥ  ＤＬ周波数バンド２０４、および１つのＮＲ周波数バンド２０６を例示するが、本開示の実施形態は、周波数範囲２０８におけるさらに多くのＬＴＥ  ＵＬ周波数バンド２０２および／またはＬＴＥ  ＤＬ周波数バンド２０４および／または周波数範囲２０９におけるさらに多くのＮＲ周波数バンド２０６に対応し得る（scale to）ことは認識されるだろう。
【００３５】
[0044]  ＬＴＥ  ＵＬ周波数バンド２０２およびＬＴＥ  ＤＬ周波数バンド２０４は、周波数分割複信（ＦＤＤ）モードにおいてＬＴＥ通信のためにＬＴＥネットワークによって使用され得る。例えば、ＬＴＥ  ＵＬ周波数バンドは、ＬＴＥ  ＵＬ通信２１０のために使用される。ＬＴＥ  ＤＬ周波数バンド２０４は、ＬＴＥ  ＤＬ通信２１２のために使用される。スタンドアロンＬＴＥデバイスは、周波数バンド２０２においてランダムアクセス要求を送信することによってＬＴＥネットワークへのアクセスを開始し得、ネットワークのＬＴＥ  ＢＳは、周波数バンド２０４においてランダムアクセス応答を送信することによって応答し得る。続いて、ＬＴＥデバイスは、周波数バンド２０２において接続要求を送信し得、ＬＴＥ  ＢＳは、周波数バンド２０４において接続応答で応答し得る。接続を確立した後に、ＬＴＥ  ＢＳおよびＬＴＥデバイスは、周波数バンド２０２および２０４上で通信し得る。
【００３６】
[0045]  ＮＲ周波数バンド２０６は、時分割複信（ＴＤＤ）モードにおいてＮＲ通信２２０のためにＮＲネットワークによって使用され得る。スタンドアロン  ＮＲデバイスは、ＵＬ期間またはサブフレームにおいて、周波数バンド２０６においてランダムアクセス要求を送信することによってＮＲネットワークへのアクセスを開始し得、およびネットワークのＮＲ  ＢＳは、ＤＬ期間またはサブフレームの間に、周波数バンド２０６においてランダムアクセス応答を送信することによって応答し得る。続いて、ＮＲデバイスは、ＵＬ期間の間に、周波数バンド２０６において接続要求を送信し得、およびＮＲ  ＢＳは、ＤＬ期間の間に、周波数バンド２０６において接続応答で応答し得る。接続を確立した後に、ＮＲ  ＢＳおよびＮＲデバイスは、ＴＤＤサブフレーム構成に従って、周波数バンド２０６上で通信し得る。
【００３７】
[0046]  図３は、本開示の実施形態によるデュアル接続性デバイスを動作させるための周波数バンド使用状況３００を例示する。状況３００は、状況２００と同様の周波数バンド構成を含むが、デュアルＬＴＥ−ＮＲ接続性をサポートするために、ＬＴＥ周波数バンド２０２および２０４ならびにＮＲ周波数バンド２０６の使用を例示する。説明の簡潔性のために、図３は、１つのＬＴＥ  ＵＬ周波数バンド２０２、１つのＬＴＥ  ＤＬ周波数バンド２０４、および１つのＮＲ周波数バンド２０６を例示するが、本開示の実施形態は、周波数範囲２０８におけるさらに多くのＬＴＥ  ＵＬ周波数バンド２０２および／またはＬＴＥ  ＤＬ周波数バンド２０４および／または周波数範囲２０９におけるさらに多くのＮＲ周波数バンド２０６に対応し得ることは認識されるだろう。
【００３８】
[0047]  状況３００では、ＬＴＥ周波数バンド２０２および２０４は、ＬＴＥプライマリセル（Ｐセル）によって使用されるために指定され得、およびＮＲ周波数バンド２０６は、セカンダリセル（Ｓセル）によって使用されるために指定され得る。ＵＥ１１５と同様なデュアルＬＴＥ−ＮＲデバイスは、ＬＴＥ  Ｐセル上で初期ネットワークアクセスを開始し得る。例えば、デュアルＬＴＥ−ＮＲは、上述したスタンドアロンＬＴＥデバイスと同様のメカニズムを用い得、ここでランダムアクセスおよび接続要求（例えば、ＬＴＥ  ＵＬ通信３１０）および応答（例えば、ＬＴＥ  ＤＬ通信３１２）は、それぞれ周波数バンド２０２および２０４上で交換され得る。Ｐセルにおいてネットワークへのアクセスを得た後に、ネットワークは、ＮＲ周波数バンド２０６上でＤＬ通信３１４のためのＳセルを追加するようにデュアルＬＴＥ−ＮＲデバイスを構成することができる。
【００３９】
[0048]  いくつかの研究は、ＬＴＥ  ＵＬスペクトルが十分に活用されていない可能性があることを示す。したがって、ＮＲネットワークがＬＴＥ  ＵＬスペクトルを共有することを可能にすることでスペクトルまたはリソース利用効率が改善し得る。加えて、ＮＲネットワークは典型的に、ＬＴＥ中間周波数バンドまたはＬＴＥ低周波数バンドに比べて著しくより高い経路損失を伴ってミリ波バンドまたは高周波数バンド上で動作する。高い経路損失は、ＵＥ１１５のようなＵＥがＮＲネットワークにおけるＢＳ１０５のようなＢＳと接続を確立するまたは初期アクセスを得ることに関して問題を起こし得る。したがって、ＮＲデバイスまたはＵＥがＬＴＥ  ＵＬスペクトル上でネットワークアクセスを開始することを可能にすることにより、ＵＬカバレッジが改善し得る。図４および図５は、共有されるＬＴＥ  ＵＬ周波数スペクトルを使用してスタンドアロンＮＲデバイスがＮＲネットワークにアクセスするための様々なメカニズムを例示する。図４および図５では、ｘ軸は、いくつかのコンスタントなユニットにおける周波数を表す。
【００４０】
[0049]  図４は、本開示の実施形態による、ＬＴＥ  ＵＬ周波数スペクトルを共有する初期ＮＲネットワークアクセスの方法４００を例示する。方法４００は、状況２００および３００と同様の周波数バンド構成の文脈で説明される。しかしながら、方法４００では、ＬＴＥ  ＵＬ周波数バンド２０２は、ＬＴＥネットワークとＮＲネットワークとの間で共有される。説明の簡潔性のために、図４は、１つのＬＴＥ  ＵＬ周波数バンド２０２、１つのＬＴＥ  ＤＬ周波数バンド２０４、および１つのＮＲ周波数バンド２０６を例示するが、本開示の実施形態は、周波数範囲２０８におけるさらに多くのＬＴＥ  ＵＬ周波数バンド２０２および／またはＬＴＥ  ＤＬ周波数バンド２０４および／または周波数範囲２０９におけるさらに多くのＮＲ周波数バンド２０６に対応し得ることは認識されるだろう。
【００４１】
[0050]  例えば、ＬＴＥ周波数バンド２０２および２０４は、ＬＴＥネットワークに指定されるか、またはそれによってライセンス（licensed by）され、ＮＲ周波数バンド２０６は、ＮＲネットワークに指定されるか、またはそれによってライセンスされる。いくつかの実施形態では、ＮＲネットワークオペレータは、ＮＲ  ＵＬ通信のためにＬＴＥ  ＵＬ周波数バンド２０２を共有するために、ＬＴＥネットワークオペレータとの取り決めを有し得る。いくつかの他の実施形態では、同じオペレータがＮＲネットワークとＬＴＥネットワークとの両方を動作させ得る。ＮＲ  ＢＳおよびＬＴＥ  ＢＳは、ＬＴＥ  ＵＬ周波数バンド２０２においてＬＴＥ  ＵＬサブフレームを共有するために互いに連係し得る。連係は、バックホール接続を介してまたは中央権力（central authority）を介して実施され得る。ＮＲネットワークは、連係に基づいて、ＬＴＥ  ＵＬ周波数バンド２０２においてＵＬ通信４１０を通信し得る、およびＮＲ周波数バンド２０６においてＤＬ通信４１２を通信し得る。ＬＴＥネットワークは、連係に基づいて、ＬＴＥ  ＵＬ周波数バンド２０２において（示されていないが）ＵＬ通信２１０と同様なＵＬ通信を通信し得、ＬＴＥ  ＤＬ周波数バンド２０４においてＤＬ通信２１２を通信する。
【００４２】
[0051]  一実施形態では、ＵＥ１１５と同様なスタンドアロンＮＲデバイスは、ＬＴＥ  ＵＬ周波数バンド２０２およびＮＲ周波数バンド２０６を使用して、ＮＲネットワークのＮＲ  ＢＳとの接続を確立するためにランダムアクセスプロシージャを実施し得る。ＮＲネットワークは、ＬＴＥ  ＵＬ周波数バンド２０２におけるある特定のリソースおよびＮＲ周波数バンド２０６を示すランダムアクセス構成情報をブロードキャストし得る。スタンドアロンＮＲデバイスは、ランダムアクセス構成情報をリッスンし、それに応じてＬＴＥ  ＵＬ周波数バンド２０２においてランダムアクセス要求を送信する。それに応じて、ＮＲ  ＢＳは、ＮＲ周波数バンド２０６においてランダムアクセス応答を送信する。続いて、ＮＲ  デバイスは、ＬＴＥ  ＵＬ周波数バンド２０２において接続要求を送信し得、ＮＲ  ＢＳは、ＮＲ周波数バンド２０６において接続応答で応答し得る。接続を確立した後に、ＮＲ  ＢＳは、ＵＬ通信についてＮＲ周波数バンド２０６および／またはＬＴＥ  ＵＬ周波数バンド２０２上で通信するようにＮＲデバイスを構成し得る。初期ＮＲネットワークアクセスのためのＬＴＥ  ＵＬ周波数バンド２０２の使用がここでより詳細に説明される。
【００４３】
[0052]  図５は、本開示の実施形態による、ＬＴＥ  ＵＬ周波数スペクトルを共有する初期ＮＲネットワークアクセスの方法５００を例示する。方法５００は、方法４００と同様である。しかしながら、方法５００では、ＮＲネットワークは、１つまたは複数のＬＴＥネットワークの複数のＬＴＥ  ＵＬ周波数バンド２０２をＮＲ周波数バンド２０６とペアにし得る。示されるように、ＬＴＥ周波数範囲２０８は、ＮＲ周波数バンド２０６とペアにされ得る複数のＬＴＥ  ＵＬ周波数バンド２０２（例えば、２０２ｕ１〜２０２ｕＮと示される）を含む。ＬＴＥ周波数範囲２０８は、追加的なＬＴＥ  ＵＬ周波数バンドおよび／またはＬＴＥ  ＤＬ周波数バンド２０４と同様なＬＴＥ  ＤＬ周波数バンドを含み得る。同様に、ＮＲ周波数範囲２０９は、ＮＲ周波数バンド２０６と同様な追加的なＮＲ周波数バンドを含み得る。
【００４４】
[0053]  一実施形態では、ＮＲネットワークのＮＲ  ＢＳは、複数のＬＴＥ  ＵＬ周波数バンド２０２におけるリソースおよびＮＲ周波数バンド２０６を示すランダムアクセス構成情報をブロードキャストし得る。ＬＴＥ  ＵＬ周波数バンド２０２において動作することができるスタンドアロンＮＲデバイスは、初期ネットワークアクセスのためにＬＴＥ  ＵＬ周波数バンド２０２のうちの１つからのリソースを選択し得る。例として、スタンドアロンＮＲデバイスは、ランダムアクセス要求（例えば、ＵＬ通信４１０）を送信するために、ＬＴＥ  ＵＬ周波数バンド２０２ｕ１からのリソースを選択し得る。方法４００と同様に、ＮＲ  ＢＳは、ＮＲ周波数バンド２０６においてランダムアクセス応答（例えば、ＤＬ通信４１２）を送信することによって応答し得る。ランダムアクセス応答は、ＮＲデバイスのために割り振られたＬＴＥ  ＵＬ周波数バンド２０２のうちの１つにおける送信リソースを示し得る。例えば、送信リソースは、同じＬＴＥ  ＵＬ周波数バンド２０２ｕ１にあり得るか、または異なるＬＴＥ  ＵＬ周波数バンド（例えば、ＬＴＥ  ＵＬ周波数バンド２０２ｕＮ）にあり得る。ＮＲデバイスは、割り振られた送信リソースを使用して接続要求（例えば、ＵＬ通信４１０）を送信し得る。ＮＲ  ＢＳは、ＮＲ周波数バンド２０６において接続応答（例えば、ＤＬ通信４１２）で応答し得る。
【００４５】
[0054]  図６は、本開示の実施形態による例示的なＵＥ６００のブロック図である。ＵＥ６００は、上述したようなＵＥ１１５であり得る。示されるように、ＵＥ６００は、プロセッサ６０２、メモリ６０４、スペクトル共有モジュール６０８、モデムサブシステム６１２および無線周波数（ＲＦ）ユニット６１４を含むトランシーバ６１０、ならびにアンテナ６１６を含み得る。これらの要素は、例えば、１つまたは複数のバスを介して互いに直接または間接的に通信している状態であり得る。
【００４６】
[0055]  プロセッサ６０２は、セントラルプロセシングユニット（ＣＰＵ）、デジタルシグナルプロセッサ（ＤＳＰ）、特定用途向け集積回路（ＡＳＩＣ）、コントローラ、フィールドプログラマブルゲートアレイ（ＦＰＧＡ）デバイス、別のハードウェアデバイス、ファームウェアデバイス、またはここに説明される動作を実施するように構成されるそれらの任意の組合せを含み得る。プロセッサ６０２はまた、コンピューティングデバイスの組合せ、例えば、ＤＳＰとマイクロプロセッサとの組合せ、複数のマイクロプロセッサ、ＤＳＰコアと連結した１つまたは複数のマイクロプロセッサ、または任意の他のそのような構成としてもインプリメントされ得る。
【００４７】
[0056]  メモリ６０４は、キャッシュメモリ（例えば、プロセッサ６０２のキャッシュメモリ）、ランダムアクセスメモリ（ＲＡＭ）、磁気抵抗ＲＡＭ（ＭＲＡＭ）、読み出し専用メモリ（ＲＯＭ）、プログラマブル読み出し専用メモリ（ＰＲＯＭ）、消去可能なプログラマブル読み取り専用メモリ（ＥＰＲＯＭ）、電気的に消去可能なプログラマブル読み取り専用メモリ（ＥＥＰＲＯＭ（登録商標））、フラッシュメモリ、ソリッドステートメモリデバイス、ハードディスクドライブ、他の形態の揮発性および不揮発性メモリ、または異なる複数のタイプのメモリの組合せを含み得る。一実施形態では、メモリ６０４は、非一時的なコンピュータ読み取り可能な媒体を含む。メモリ６０４は、命令６０６を記憶し得る。命令６０６は、プロセッサ６０２によって実行されると、プロセッサ６０２に、本開示の実施形態に関連してＵＥ１１５を参照してここに説明される動作を実施させる命令を含み得る。命令６０６はまた、コードとも呼ばれ得る。「命令」および「コード」という用語は、いかなるタイプのコンピュータ読み取り可能なステートメント（１つまたは複数の）も含むように広く解釈されるべきである。例えば、「命令」および「コード」という用語は、１つまたは複数のプログラム、ルーチン、サブルーチン、関数、プロシージャ等を指し得る。「命令」および「コード」は、単一のコンピュータ読み取り可能なステートメントまたは多くのコンピュータ読み取り可能なステートメントを含み得る。
【００４８】
[0057]  スペクトル共有モジュール６０８は、ハードウェア、ソフトウェア、またはそれらの組合せを用いてインプリメントされ得る。例えば、スペクトル共有モジュール６０８は、メモリ６０４に記憶されプロセッサ６０２によって実行される命令６０６、回路、および／またはプロセッサとしてインプリメントされ得る。スペクトル共有モジュール６０８は、本開示の様々な態様のために使用され得る。例えば、スペクトル共有モジュール６０８は、システム情報ブロードキャストのためにネットワークをリッスンするように構成される。システム情報は、ＬＴＥ  ＵＬ周波数バンド２０２のような共有されたＬＴＥ  ＵＬ周波数バンドにおけるランダムアクセスリソースを示し得る。スペクトル共有モジュール６０８は、方法４００および５００に関して上述したようにおよびここでより詳細に説明されるように、ＬＴＥ  ＵＬ周波数バンドにおいてランダムアクセス要求および接続要求を送信すること、およびＮＲ周波数バンド２０６のようなＮＲ周波数バンドからランダムアクセス応答および接続応答を受信することによって、初期ネットワークアクセスを実施するようにさらに構成される。スペクトル共有モジュール６０８は、ＵＬデータ送信構成を受信し、受信されたＵＬデータ送信構成に従って、ＵＬデータ送信を実施するようにさらに構成される。
【００４９】
[0058]  示されるように、トランシーバ６１０は、モデムサブシステム６１２およびＲＦユニット６１４を含み得る。トランシーバ６１０は、ＢＳ１０５のような他のデバイスと双方向に通信するように構成されることができる。モデムサブシステム６１２は、変調およびコーディングスキーム（ＭＣＳ）、例えば、低密度パリティチェック（ＬＤＰＣ）コーディングスキーム、ターボコーディングスキーム、畳み込みコーディングスキーム、デジタルビームフォーミングスキーム等に従って、メモリ６０４および／またはスペクトル共有モジュール６０８からのデータを変調および／または符号化するように構成され得る。ＲＦユニット６１４は、ＵＥ１１５のような別のソースから生じた送信の、または（出ていく送信における）モデムサブシステム６１２からの変調された／符号化されたデータを処理する（例えば、アナログからデジタルへの変換またはデジタルからアナログへの変換等を実施する）ように構成され得る。ＲＦユニット６１４は、デジタルビームフォーミングと併せてアナログビームフォーミングを実施するようにさらに構成され得る。トランシーバ６１０において統合されているように示されているが、モデムサブシステム６１２およびＲＦユニット６１４は、ＵＥ１１５が他のデバイスと通信することを可能にするためにＵＥ１１５において連結される別々のデバイスであり得る。
【００５０】
[0059]  ＲＦユニット６１４は、１つまたは複数の他のデバイスへの送信のために、アンテナ６１６に、変調されたおよび／または処理されたデータ、例えば、データパケット（またはより一般的には、１つまたは複数のデータパケットおよび他の情報を包含し得るデータメッセージ）を提供し得る。これは例えば、本開示の実施形態によるチャネル予約信号の送信を含み得る。アンテナ６１６はさらに、他のデバイスから送信されたデータメッセージを受信し得る。これは例えば、本開示の実施形態によるチャネル予約信号の受信を含み得る。アンテナ６１６は、受信されたデータメッセージを、トランシーバ６１０における処理および／または復調のために提供し得る。図６はアンテナ６１６を単一のアンテナとして例示するが、アンテナ６１６は、複数の送信リンクを維持するために同様のまたは異なる設計のマルチプルなアンテナを含み得る。ＲＦユニット６１４は、アンテナ６１６を構成し得る。
【００５１】
[0060]  図７は、本開示の実施形態による例示的なＢＳ７００のブロック図である。ＢＳ７００は、上述したようなＢＳ１０５であり得る。示された、ＢＳ７００は、プロセッサ７０２、メモリ７０４、スペクトル共有モジュール７０８、モデムサブシステム７１２およびＲＦユニット７１４を含むトランシーバ７１０、およびアンテナ７１６を含み得る。これらの要素は、例えば、１つまたは複数のバスを介して互いに直接または間接的に通信している状態であり得る。
【００５２】
[0061]  プロセッサ７０２は、特殊タイププロセッサとして様々な特徴を有し得る。例えば、これらは、ＣＰＵ、ＤＳＰ、ＡＳＩＣ、コントローラ、ＦＰＧＡデバイス、別のハードウェアデバイス、ファームウェアデバイス、またはここに説明される動作を実施するように構成されるそれらの任意の組合せを含み得る。プロセッサ７０２はまた、コンピューティングデバイスの組合せ、例えば、ＤＳＰとマイクロプロセッサとの組合せ、複数のマイクロプロセッサ、ＤＳＰコアと連結した１つまたは複数のマイクロプロセッサ、または任意の他のそのような構成としてもインプリメントされ得る。
【００５３】
[0062]  メモリ７０４は、キャッシュメモリ（例えば、プロセッサ７０２のキャッシュメモリ）、ＲＡＭ、ＭＲＡＭ、ＲＯＭ、ＰＲＯＭ、ＥＰＲＯＭ、ＥＥＰＲＯＭ、フラッシュメモリ、ソリッドステートメモリデバイス、１つまたは複数のハードディスクドライブ、メモリスタベースのアレイ、他の形態の揮発性および不揮発性メモリ、または異なる複数のタイプのメモリの組合せを含み得る。いくつかの実施形態では、メモリ７０４は、非一時的なコンピュータ読み取り可能な媒体を含み得る。メモリ７０４は、命令７０６を記憶し得る。命令７０６は、プロセッサ７０２によって実行されると、プロセッサ７０２にここに説明される動作を実施させる命令を含み得る。命令７０６はまた、コードとも呼ばれ得、それは、図７に関して上述したようないかなるタイプのコンピュータ読み取り可能なステートメント（１つまたは複数）も含むように広く解釈され得る。
【００５４】
[0063]  スペクトル共有モジュール７０８は、ハードウェア、ソフトウェア、またはそれらの組合せを用いてインプリメントされ得る。例えば、スペクトル共有モジュール７０８は、メモリ７０４に記憶されプロセッサ７０２によって実行される命令７０６、回路、および／またはプロセッサとしてインプリメントされ得る。スペクトル共有モジュール７０８は、本開示の様々な態様のために使用され得る。例えば、スペクトル共有モジュール７０８は、ＬＴＥ  ＵＬ周波数バンド２０２等のもう１つのＬＴＥ  ＵＬ周波数バンドまたはＬＴＥ  ＵＬスペクトルへのアクセスのためにＢＳ１０５等のＬＴＥ  ＢＳと連係する、および／またはＬＴＥ  ＵＬスペクトルを共有するためのルールおよび／またはプロトコルを受信するように構成される。スペクトル共有モジュール７０８は、ＬＴＥ  ＵＬ周波数バンドにおけるリソースを構成し、その構成されたリソースを示すシステム情報をブロードキャストするようにさらに構成される。システム情報は、ランダムアクセス構成情報、例えば、ランダムアクセスリソース、ランダムアクセスプリアンブル構成、および／またはランダムアクセスルールを含み得る。スペクトル共有モジュール７０８は、ここでより詳細に説明されるように、構成されたランダムアクセスリソース、例えば、ＬＴＥ  ＵＬ周波数バンドにおいて、ランダムアクセス要求またはランダムアクセスプリアンブルについてモニタし、ＮＲ周波数バンド２０６のようなＮＲ周波数バンドにおいてランダムアクセス要求に応答し、接続要求のためのリソースを構成し、ＮＲ周波数バンドにおける接続要求に応答するようにさらに構成される。
【００５５】
[0064]  示されるように、トランシーバ７１０は、モデムサブシステム７１２およびＲＦユニット７１４を含み得る。トランシーバ７１０は、ＵＥ１１５および／または別のコアネットワーク要素のような他のデバイスと双方向に通信するように構成されることができる。モデムサブシステム７１２は、ＭＣＳ、例えば、ＬＤＰＣコーディングスキーム、ターボコーディングスキーム、畳み込みコーディングスキーム、デジタルビームフォーミングスキーム等に従って、データを変調および／または符号化するように構成され得る。ＲＦユニット７１４は、ＵＥ１１５のような別のソースから生じた送信の、または（出ていく送信における）モデムサブシステム７１２からの変調された／符号化されたデータを処理する（例えば、アナログからデジタルへの変換またはデジタルからアナログへの変換等を実施する）ように構成され得る。ＲＦユニット７１４は、デジタルビームフォーミングと併せてアナログビームフォーミングを実施するようにさらに構成され得る。トランシーバ７１０において統合されているように示されているが、モデムサブシステム７１２およびＲＦユニット７１４は、ＢＳ１０５が他のデバイスと通信することを可能にするためにＢＳ１０５において連結される別々のデバイスであり得る。
【００５６】
[0065]  ＲＦユニット７１４は、１つまたは複数の他のデバイスへの送信のために、アンテナ７１６に、変調されたおよび／または処理されたデータ、例えば、データパケット（またはより一般的には、１つまたは複数のデータパケットおよび他の情報を包含し得るデータメッセージ）を提供し得る。これは、例えば、本開示の実施形態によるネットワークへのアタッチメントを完了するための情報の送信、およびキャンプされたＵＥ１１５との通信を含み得る。アンテナ７１６はさらに、他のデバイスから送信されたデータメッセージを受信し、トランシーバ７１０における処理および／または復調のために受信されたデータメッセージを提供し得る。図７はアンテナ７１６を単一のアンテナとして例示するが、アンテナ７１６は、複数の送信リンクを維持するために同様のまたは異なる設計のマルチプルなアンテナを含み得る。
【００５７】
[0066]  図８は、本開示の実施形態による、ＬＴＥ  ＵＬ周波数バンドを使用してＮＲネットワークへの初期アクセスを実施するための方法８００のシグナリング図を例示する。方法８００のステップは、ＢＳ１０５および７００およびＵＥ１１５および６００等のワイヤレス通信デバイスのコンピューティングデバイス（例えば、プロセッサ、処理回路、および／または他の好適なコンポーネント）によって実行されることができる。方法８００は、図４および図５を参照してより良く理解されることができる。例示されたように、方法８００は、いくつかの列挙されたステップを含むが、方法８００の実施形態は、それら列挙されたステップの前、後、およびそれらの間に、追加的なステップを含み得る。いくつかの実施形態では、列挙されたステップのうちの１つまたは複数は、省略され得るか、または異なる順序で実施され得る。方法８００は、説明の簡潔さのために、１つのＮＲ  ＢＳおよび１つのスタンドアロンＮＲ  ＵＥを例示するが、しかしながら、本開示の実施形態は、さらに多くのＵＥおよび／またはＢＳに対応することは認識されるだろう。
【００５８】
[0067]  ステップ８０５において、ＮＲネットワーク（例えば、ネットワーク１００）のＢＳは、ＮＲ周波数バンド（例えば、ＮＲ周波数バンド２０６）においてＮＲネットワークに関連するシステム情報をブロードキャストする。ＮＲネットワークは、それぞれ図４および図５に関して上述した方法４００および５００と同様の周波数バンドプランを用い得る。システム情報は、セルアクセス関連情報、チャネル構成情報（例えば、ＬＴＥ  ＵＬおよび／またはＮＲ周波数バンドのバンド幅および周波数バンド）、物理ランダムアクセス（ＰＲＡＣＨ）構成情報、および／または隣接セル情報を含み得る。ＰＲＡＣＨ構成情報は、ランダムアクセスプリアンブル送信のためのシーケンス、フォーマット、リソース、および／または他の情報を示し得る。ランダムアクセスリソースは、１つまたは複数のＬＴＥネットワークの１つまたは複数のＬＴＥ  ＵＬ周波数バンド（例えば、ＬＴＥ  ＵＬ周波数バンド２０２）に位置し得る。例えば、ＮＲ  ＢＳは、ＬＴＥ  ＵＬ周波数バンドを共有するためにＬＴＥネットワークと交渉し得る。ＮＲ  ＢＳは、ＬＴＥ  ＵＬ周波数バンドにおけるランダムアクセスリソースを決定するためにＬＴＥネットワークと連係し得る。いくつかの実施形態では、ランダムアクセスリソースはまた、ＬＴＥ  ＵＬ周波数バンド上で動作することができないＮＲデバイスがＮＲ周波数バンド上で動作し続けることを可能にするために、ＮＲ周波数バンドにおけるリソースを含み得る。言い換えれば、ＢＳは、複数のランダムアクセスリソース、ＮＲ周波数バンドまたはＬＴＥ  ＵＬ周波数バンドから選択するためのオプションをＮＲデバイスに提供し得る。
【００５９】
[0068]  ステップ８１０において、ＮＲネットワークにアクセスすることを試みるＵＥは、システム情報についてネットワークをリッスンする。いくつかの実施形態では、ＵＥは、いずれのＬＴＥネットワークにも接続されない可能性がある。いくつかの実施形態では、ＵＥは、ＬＴＥ接続性をサポートしないスタンドアロンＮＲ  ＵＥであり得る。
【００６０】
[0069]  ステップ８１５において、ＵＥはシステム情報に従ってＬＴＥ  ＵＬ周波数バンドにおいてランダムアクセス要求を送信する。システム情報が複数のＬＴＥ周波数バンドにおけるランダムアクセスリソースを示すとき、ＵＥは複数のＬＴＥ周波数バンドのうちの１つからランダムアクセスリソースを選択し得る。ＵＥは、システム情報（例えば、ＰＲＡＣＨ構成におけるシーケンスおよびフォーマット情報）に従ってランダムアクセスプリアンブルを生成し得る。ＵＥは、ランダムアクセスプリアンブルを搬送する信号の形式でランダムアクセス要求を送信し得る。
【００６１】
[0070]  ステップ８２０において、ランダムアクセス要求を送信した後に、ＵＥは、例えば、ランダムアクセス応答ウィンドウの間、ＮＲ周波数バンドにおけるＢＳからのランダムアクセス応答についてモニタする。
【００６２】
[0071]  ステップ８２５において、ランダムアクセス要求を検出すると、ＢＳは、ＵＥに関連するＵＬ送信タイミングを決定し、ＬＴＥ  ＵＬ周波数バンドにおけるリソースをＵＥに割り当てる。
【００６３】
[0072]  ステップ８３０において、ＢＳは、ＮＲ周波数バンドにおいてＵＥにランダムアクセス応答を送信する。ランダムアクセス応答は、ＵＬタイミング調整情報、ＬＴＥ  ＵＬ周波数バンドにおけるリソースの割り振り、および後続の接続の確立のための任意の他の情報（例えば、ＵＥのための一時識別子）を含み得る。
【００６４】
[0073]  ステップ８３５において、ランダムアクセス応答を受信すると、ＵＥは、例えば、ＬＴＥ  ＵＬ周波数バンドにおける割り当てられたリソースを使用して、ランダムアクセス応答に従って接続要求を送信する。
【００６５】
[0074]  ステップ８４０において、接続要求を受信すると、ＢＳは、ＮＲ周波数バンドにおいて接続応答を送信することによって応答し得る。接続応答は、ＵＥに固有の構成情報を提供し得る。構成情報は、ＵＬ通信について同じＬＴＥ  ＵＬ周波数バンドを使用し続けるようにＵＥを構成し得る。代替的に、構成情報は、ＵＬ通信について別のＬＴＥ  ＵＬ周波数バンドまたはＮＲ周波数バンドを使用するようにＵＥを再構成し得る。
【００６６】
[0075]  いくつかの実施形態では、ＰＲＡＣＨ構成は、さらに、ランダムアクセス応答モニタリングのための特定のＮＲ周波数バンドを含み得る。いくつかの実施形態では、ＮＲネットワークは、複数のＬＴＥ  ＵＬ周波数バンドをＮＲ周波数バンドとペアにし得る。いくつかの実施形態では、ＢＳは、ランダムアクセス要求が受信されるＬＴＥ  ＵＬ周波数バンドとは異なるＬＴＥ  ＵＬ周波数バンドにおいて接続要求送信のためにリソースを割り振り得る。いくつかの実施形態では、ランダムアクセス要求、ランダムアクセス応答、接続要求および接続応答は、それぞれ、メッセージ１、メッセージ２、メッセージ３、およびメッセージ４と呼ばれ得る。方法８００は、ＬＴＥ  ＵＬ周波数バンドにおけるランダムアクセスリソースを用いて構成されるＮＲネットワークの文脈で説明されるが、方法８００は、別のネットワークによって共有されるかまたは共有されない可能性がある追加的なＵＬ周波数バンドにおけるランダムアクセスリソースを使用するＮＲネットワークによって適用され得る。
【００６７】
[0076]  図９は、本開示の実施形態による、ＮＲネットワークへの初期ネットワークアクセスを実施する方法９００のフローダイアグラムである。方法９００のステップは、ＵＥ１１５および６００等のワイヤレス通信デバイスのコンピューティングデバイス（例えば、プロセッサ、処理回路、および／または他の好適なコンポーネント）によって実行されることができる。方法９００は、それぞれ図４、図５、および図８に関して説明された方法４００、５００、および８００におけるものと同様のメカニズムを用い得る。例示されたように、方法９００は、いくつかの列挙されたステップを含むが、方法９００の実施形態は、それら列挙されたステップの前、後、およびそれらの間に、追加的なステップを含み得る。いくつかの実施形態では、列挙されたステップのうちの１つまたは複数は、省略され得るか、または異なる順序で実施され得る。
【００６８】
[0077]  ステップ９１０において、方法９００は、第１の周波数バンドにおいて、第１のネットワークにランダムアクセス要求を送信することを含み、ここで、第１の周波数バンドは、第１のネットワークおよび第２のネットワークによって共有される。ワイヤレス通信デバイスは、スタンドアロンＮＲ  ＵＥであり得る。第１のネットワークは、ＮＲネットワークであり得る。第２のネットワークは、ＬＴＥネットワークであり得る。第１の周波数バンドは、ＬＴＥネットワークのＬＴＥ  ＵＬ周波数バンド（例えば、ＬＴＥ  ＵＬ周波数バンド２０２）であり得る。
【００６９】
[0078]  ステップ９２０において、方法９００は、ランダムアクセス要求に応答して、ランダムアクセス応答を受信することを含む。ランダムアクセス応答は、第１のネットワークに割り振られた第２の周波数バンドにある。第２の周波数バンドは、第１の周波数バンドとは異なる。第２の周波数バンドは、事実上第１の周波数バンドより高い周波数にあり得る。第２の周波数バンドは、ＮＲ周波数バンド２０６と同様なサブ６ＧＨｚ範囲またはミリ波周波数範囲にあり得る。
【００７０】
[0079]  方法９００は、第１のネットワークおよび第２のネットワークによって共有される第１の周波数バンドを使用する第１のネットワークの文脈で説明されるが、方法９００は、追加的なＵＬ周波数バンドを使用するためにＴＤＤネットワークによって適用され得る。例えば、第１のネットワークは、第２の周波数バンド（例えば、プライマリ動作周波数バンド）上で送られたＵＬおよびＤＬ通信、ならびに第１の周波数バンド（例えば、セカンダリ動作周波数バンド）上で送られた追加的なＵＬ通信を用いてＴＤＤモードで動作し得る。第１の周波数バンドは、いくつかの事例では、別のネットワークと共有される。他の事例では、第１の周波数バンドは、別のネットワークと共有されない。
【００７１】
[0080]  図１０は、本開示の実施形態による、ＮＲネットワークへの初期ネットワークアクセスを実施する方法１０００のフローダイアグラムである。方法１０００のステップは、ＢＳ１０５および７００等のワイヤレス通信デバイスのコンピューティングデバイス（例えば、プロセッサ、処理回路、および／または他の好適なコンポーネント）によって実行されることができる。方法１０００は、それぞれ図４、図５、および図８に関して説明された方法４００、５００、および８００におけるものと同様のメカニズムを用い得る。例示されたように、方法１０００は、いくつかの列挙されたステップを含むが、方法１０００の実施形態は、それら列挙されたステップの前、後、およびそれらの間に、追加的なステップを含み得る。いくつかの実施形態では、列挙されたステップのうちの１つまたは複数は、省略され得るか、または異なる順序で実施され得る。
【００７２】
[0081]  ステップ１０１０において、方法１０００は、第１の周波数バンドから、第１のネットワークへのランダムアクセス要求を受信することを含み、ここで、第１の周波数バンドは、第１のネットワークおよび第２のネットワークによって共有される。第１のネットワークは、ＮＲネットワークであり得る。ワイヤレス通信デバイスは、ＮＲネットワークのＮＲ  ＢＳであり得る。第２のネットワークは、ＬＴＥネットワークであり得る。第１の周波数バンドは、ＬＴＥネットワークのＬＴＥ  ＵＬ周波数バンド（例えば、ＬＴＥ  ＵＬ周波数バンド２０２）であり得る。
【００７３】
[0082]  ステップ１０２０において、方法１０００は、ランダムアクセス要求に応答して、ランダムアクセス応答を送信することを含む。ランダムアクセス応答は、第１のネットワークに割り振られた第２の周波数バンドにある。第２の周波数バンドは、第１の周波数バンドとは異なる。第２の周波数バンドは、事実上第１の周波数バンドより高い周波数にあり得る。第２の周波数バンドは、ＮＲ周波数バンド２０６と同様なサブ６ＧＨｚ範囲またはミリ波周波数範囲にあり得る。
【００７４】
[0083]  方法１０００は、第１のネットワークおよび第２のネットワークによって共有される第１の周波数バンドを使用する第１のネットワークの文脈で説明されるが、方法１０００は、追加的なＵＬ周波数バンドを使用するためにＴＤＤネットワークによって適用され得る。例えば、第１のネットワークは、第２の周波数バンド（例えば、プライマリ動作周波数バンド）上で送られたＵＬおよびＤＬ通信、ならびに第１の周波数バンド（例えば、セカンダリ動作周波数バンド）上で送られた追加的なＵＬ通信を用いてＴＤＤモードで動作し得る。第１の周波数バンドは、いくつかの事例では、別のネットワークと共有される。他の事例では、第１の周波数バンドは、別のネットワークと共有されない。
【００７５】
[0084]  補足アップリンク（ＳＵＬ）キャリアについてのＲＡＣＨ構成に基づいたＮＲ  ＵＥ初期アクセスの実施形態では、ＳＵＬキャリアについてのＲＡＣＨ構成は、ＲＭＳＩにおいてブロードキャストされる。ＳＵＬキャリアのための構成情報は、ＵＥがＳＵＬキャリアを介してＲＡＣＨプロシージャを完了するために十分である。特に、構成情報は、必須の電力制御パラメータを含む。ＳＵＬキャリアのための構成情報は、しきい値を含む。ＵＥは、ＵＥがＲＭＳＩを受信するＤＬキャリア上でＵＥによって測定される基準信号受信電力（ＲＳＲＰ）がしきい値よりも低い場合、初期アクセスのためにそのＳＵＬキャリアを選択する。ＵＥがＳＵＬキャリア上でＲＡＣＨプロシージャを開始する場合、次いでＲＡＣＨプロシージャは、そのキャリア上で行われているすべてのアップリンク送信で完了する。経路損失およびタイミングアドバンス取得のための任意のアップリンクキャリアに向けたＲＡＣＨプロシージャを開始することを、ネットワークが接続モードのＵＥに対して要求することが可能であり得ることが予想される。
【００７６】
[0085]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【００７７】
[0086]  本明細書における開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、ＤＳＰとマイクロプロセッサとの組合せ、複数のマイクロプロセッサ、ＤＳＰコアと連携した１つまたは複数のマイクロプロセッサ、または任意の他のそのような構成）としてインプリメントされ得る。
【００７８】
[0087]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、添付の特許請求の範囲および本開示の範囲内にある。例えば、ソフトウェアの性質に起因して、上述した機能は、プロセッサ、ハードウェア、ファームウェア、ハードワイヤリング、またはこれらのうちの任意のものの組合せによって実行されるソフトウェアを使用してインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「のうちの１つまたは複数」のような表現が付される項目のリスト）で使用される「または」は、例えば、［Ａ、ＢまたはＣのうちの少なくとも１つ］というリストが、ＡまたはＢまたはＣまたはＡＢまたはＡＣまたはＢＣまたはＡＢＣ（すなわち、ＡおよびＢおよびＣ）を意味するように、包括的なリスト（an inclusive list）を示す。
【００７９】
[0088]  本開示の実施形態は、第１の周波数バンドにおいて第１のワイヤレス通信デバイスによって、第１のネットワークにランダムアクセス要求を送信すること、ここにおいて、第１の周波数バンドは、第１のネットワークおよび第２のネットワークによって共有される、と、ランダムアクセス要求に応答して、第１のワイヤレス通信デバイスによって、第１のネットワークの第２のワイヤレス通信デバイスからランダムアクセス応答を受信すること、ここにおいて、ランダムアクセス応答は、第１のネットワークに割り振られた第２の周波数バンドにあり、第２の周波数バンドは、第１の周波数バンドとは異なる、と、を備える、ワイヤレス通信の方法を含む。
【００８０】
[0089]  方法はさらに、第１のワイヤレス通信デバイスによって、第１のネットワークおよび第２のネットワークによって共有される１つまたは複数の周波数バンドにおけるランダムアクセスリソース割り振りを示すシステム情報を受信することを備え、ここにおいて、１つまたは複数の周波数バンドは、第１の周波数バンドを含み、ランダムアクセス要求を送信することは、ランダムアクセスリソース割り振りに基づいて、ランダムアクセス要求を送信することを含む。方法はさらに、ここにおいて、１つまたは複数の周波数バンドが第２のネットワークのアップリンク周波数バンドであることを含む。方法はさらに、ここにおいて、システム情報を受信することが第２の周波数バンドにおいてシステム情報を受信することを含むことを含む。方法はさらに、第１のワイヤレス通信デバイスによって、第１の周波数バンドにおいて第２のワイヤレス通信デバイスに接続要求を送信することを備える。方法はさらに、第１のワイヤレス通信デバイスによって、第２のワイヤレス通信デバイスから、第２の周波数バンドにおいて第１のワイヤレス通信デバイスのためのアップリンク割り振りを示す構成を受信することを備える。方法はさらに、ここにおいて、第２の周波数バンドが第１の周波数バンドより高い周波数にあることを含む。方法はさらに、ここにおいて、第２のネットワークがロングタームエボリューション（ＬＴＥ）ネットワークであることを含む。
【００８１】
[0090]  本開示の実施形態はさらに、第１のワイヤレス通信デバイスによって、第１の周波数バンドにおいて第２のワイヤレス通信デバイスから、第１のワイヤレス通信デバイスに関連する第１のネットワークへのランダムアクセス要求を受信すること、ここにおいて、第１の周波数バンドは、第１のネットワークおよび第２のネットワークによって共有される、と、ランダムアクセス要求に応答して、第１のワイヤレス通信デバイスによって、第２のワイヤレス通信デバイスにランダムアクセス応答を送信すること、ここにおいて、ランダムアクセス応答は、第１のネットワークに割り振られた第２の周波数バンドにあり、第２の周波数バンドは、第１の周波数バンドとは異なる、と、を備える、ワイヤレス通信の方法を含む。
【００８２】
[0091]  方法はさらに、第１のワイヤレス通信デバイスによって、第１のネットワークおよび第２のネットワークによって共有される１つまたは複数の周波数バンドにおけるランダムアクセスリソース割り振りを示すシステム情報を送信することを備え、ここにおいて、１つまたは複数の周波数バンドは、第１の周波数バンドを含み、ランダムアクセス要求を受信することは、ランダムアクセスリソース割り振りに基づいて、ランダムアクセス要求を受信することを含む。方法はさらに、ここにおいて、１つまたは複数の周波数バンドが第２のネットワークのアップリンク周波数バンドであることを含む。方法はさらに、ここにおいて、システム情報を送信することが第２の周波数バンドにおいてシステム情報を送信することを含むことを含む。方法はさらに、第１のワイヤレス通信デバイスによって、第１の周波数バンドにおいて第２のワイヤレス通信デバイスから接続要求を受信することを備える。方法はさらに、第１のワイヤレス通信デバイスによって、第２のワイヤレス通信デバイスから、第２の周波数バンドにおいて第１のワイヤレス通信デバイスのためのアップリンク割り振りを示す構成を送信することを備える。方法はさらに、ここにおいて、第２の周波数バンドが第１の周波数バンドより高い周波数にあることを含む。方法はさらに、ここにおいて、第２のネットワークがロングタームエボリューション（ＬＴＥ）ネットワークであることを含む。
【００８３】
[0092]  本開示の実施形態はさらに、第１の周波数バンドにおいて、第１のネットワークにランダムアクセス要求を送信すること、ここにおいて、第１の周波数バンドは、第１のネットワークおよび第２のネットワークによって共有される、と、ランダムアクセス要求に応答して、第１のネットワークの第２のワイヤレス通信デバイスからランダムアクセス応答を受信すること、ここにおいて、ランダムアクセス応答は、第１のネットワークに割り振られた第２の周波数バンドにあり、第２の周波数バンドは、第１の周波数バンドとは異なる、と、を行うように構成されるトランシーバを備える装置を含む。
【００８４】
[0093]  装置はさらに、ここにおいて、トランシーバが、第１のネットワークおよび第２のネットワークによって共有される１つまたは複数の周波数バンドにおけるランダムアクセスリソース割り振りを示すシステム情報を受信すること、ここにおいて、１つまたは複数の周波数バンドは、第１の周波数バンドを含む、と、ランダムアクセスリソース割り振りに基づいて、ランダムアクセス要求を送信することと、を行うようにさらに構成されることを含む。装置はさらに、ここにおいて、１つまたは複数の周波数バンドが第２のネットワークのアップリンク周波数バンドであることを含む。装置はさらに、ここにおいて、トランシーバが、第２の周波数バンドにおいてシステム情報を受信するようにさらに構成されることを含む。装置はさらに、ここにおいて、トランシーバが、第１の周波数バンドにおいて第２のワイヤレス通信デバイスに接続要求を送信するようにさらに構成されることを含む。装置はさらに、ここにおいて、トランシーバが、第２のワイヤレス通信デバイスから、第２の周波数バンドにおいて、装置のためのアップリンク割り振りを示す構成を受信するようにさらに構成されることを含む。装置はさらに、ここにおいて、第２の周波数バンドが第１の周波数バンドより高い周波数にあることを含む。装置はさらに、ここにおいて、第２のネットワークがロングタームエボリューション（ＬＴＥ）ネットワークであることを含む。
【００８５】
[0094]  本開示の実施形態はさらに、第１の周波数バンドにおいて第２のワイヤレス通信デバイスから、装置に関連する第１のネットワークへのランダムアクセス要求を受信すること、ここにおいて、第１の周波数バンドは、第１のネットワークおよび第２のネットワークによって共有される、と、ランダムアクセス要求に応答して、第２のワイヤレス通信デバイスにランダムアクセス応答を送信すること、ここにおいて、ランダムアクセス応答は、第１のネットワークに割り振られた第２の周波数バンドにあり、第２の周波数バンドは、第１の周波数バンドとは異なる、と、を行うように構成されるトランシーバを備える装置を含む。
【００８６】
[0095]  装置はさらに、ここにおいて、トランシーバが、第１のネットワークおよび第２のネットワークによって共有される１つまたは複数の周波数バンドにおけるランダムアクセスリソース割り振りを示すシステム情報を送信すること、ここにおいて、１つまたは複数の周波数バンドは、第１の周波数バンドを含む、と、ランダムアクセスリソース割り振りに基づいて、ランダムアクセス要求を受信することと、を行うようにさらに構成されることを含む。装置はさらに、ここにおいて、１つまたは複数の周波数バンドが第２のネットワークのアップリンク周波数バンドであることを含む。装置はさらに、トランシーバが、第２の周波数バンドにおいてシステム情報を送信するようにさらに構成されることを含む。装置はさらに、ここにおいて、トランシーバが、第１の周波数バンドにおいて第２のワイヤレス通信デバイスから接続要求を受信するようにさらに構成されることを含む。装置はさらに、ここにおいて、トランシーバが、第２のワイヤレス通信デバイスから第２の周波数バンドにおいて、装置のためのアップリンク割り振りを示す構成を送信するようにさらに構成されることを含む。装置はさらに、ここにおいて、第２の周波数バンドが第１の周波数バンドより高い周波数にあることを含む。装置はさらに、ここにおいて、第２のネットワークがロングタームエボリューション（ＬＴＥ）ネットワークであることを含む。
【００８７】
[0096]  本開示の実施形態はさらに、プログラムコードが記録されたコンピュータ読み取り可能な媒体を含み、プログラムコードは、第１のワイヤレス通信デバイスに、第１の周波数バンドにおいて、第１のネットワークにランダムアクセス要求を送信することを行わせるためのコード、ここにおいて、第１の周波数バンドは、第１のネットワークおよび第２のネットワークによって共有される、と、第１のワイヤレス通信デバイスに、ランダムアクセス要求に応答して、第１のネットワークの第２のワイヤレス通信デバイスからランダムアクセス応答を受信することを行わせるためのコード、ここにおいて、ランダムアクセス応答は、第１のネットワークに割り振られた第２の周波数バンドにあり、第２の周波数バンドは、第１の周波数バンドとは異なる、と、を備える。
【００８８】
[0097]  コンピュータ読み取り可能な媒体はさらに、第１のワイヤレス通信デバイスに、第１のネットワークおよび第２のネットワークによって共有される１つまたは複数の周波数バンドにおけるランダムアクセスリソース割り振りを示すシステム情報を受信することを行わせるためのコードを備え、ここにおいて、１つまたは複数の周波数バンドは、第１の周波数バンドを含み、第１のワイヤレス通信デバイスにランダムアクセス要求を送信することを行わせるためのコードは、ランダムアクセスリソース割り振りに基づいて、ランダムアクセス要求を送信するようにさらに構成される。コンピュータ読み取り可能な媒体はさらに、ここにおいて、１つまたは複数の周波数バンドが第２のネットワークのアップリンク周波数バンドであることを含む。コンピュータ読み取り可能な媒体はさらに、ここにおいて、第１のワイヤレス通信デバイスにシステム情報を受信することを行わせるためのコードが、第２の周波数バンドにおいてシステム情報を受信するようにさらに構成されることを含む。コンピュータ読み取り可能な媒体はさらに、第１のワイヤレス通信デバイスに、第１の周波数バンドにおいて第２のワイヤレス通信デバイスに接続要求を送信することを行わせるためのコードを備える。コンピュータ読み取り可能な媒体はさらに、第１のワイヤレス通信デバイスに、第２のワイヤレス通信デバイスから、第２の周波数バンドにおいて第１のワイヤレス通信デバイスのためのアップリンク割り振りを示す構成を受信することを行わせるためのコードを備える。コンピュータ読み取り可能な媒体はさらに、ここにおいて、第２の周波数バンドが第１の周波数バンドより高い周波数にあることを含む。コンピュータ読み取り可能な媒体はさらに、ここにおいて、第２のネットワークがロングタームエボリューション（ＬＴＥ）ネットワークであることを含む。
【００８９】
[0098]  本開示の実施形態はさらに、プログラムコードを記録したコンピュータ読み取り可能な媒体を含み、プログラムコードは、第１のワイヤレス通信デバイスに、第１の周波数バンドにおいて第２のワイヤレス通信デバイスから、第１のワイヤレス通信デバイスに関連する第１のネットワークへのランダムアクセス要求を受信することを行わせるためのコード、ここにおいて、第１の周波数バンドは、第１のネットワークおよび第２のネットワークによって共有される、と、第１のワイヤレス通信デバイスに、ランダムアクセス要求に応答して、第２のワイヤレス通信デバイスにランダムアクセス応答を送信することを行わせるためのコード、ここにおいて、ランダムアクセス応答は、第１のネットワークに割り振られた第２の周波数バンドにあり、第２の周波数バンドは、第１の周波数バンドとは異なる、と、を備える。
【００９０】
[0099]  コンピュータ読み取り可能な媒体はさらに、第１のワイヤレス通信デバイスに、第１のネットワークおよび第２のネットワークによって共有される１つまたは複数の周波数バンドにおけるランダムアクセスリソース割り振りを示すシステム情報を送信することを行わせるためのコードを備え、ここにおいて、１つまたは複数の周波数バンドは、第１の周波数バンドを含み、第１のワイヤレス通信デバイスにランダムアクセス要求を受信することを行わせるためのコードは、ランダムアクセスリソース割り振りに基づいて、ランダムアクセス要求を受信するようにさらに構成される。コンピュータ読み取り可能な媒体はさらに、ここにおいて、１つまたは複数の周波数バンドが第２のネットワークのアップリンク周波数バンドであることを含む。コンピュータ読み取り可能な媒体はさらに、ここにおいて、第１のワイヤレス通信デバイスにシステム情報を送信することを行わせるためのコードが、第２の周波数バンドにおいてシステム情報を送信するようにさらに構成されることを含む。コンピュータ読み取り可能な媒体はさらに、第１のワイヤレス通信デバイスに、第１の周波数バンドにおいて第２のワイヤレス通信デバイスから接続要求を受信することを行わせるためのコードを備える。コンピュータ読み取り可能な媒体はさらに、第１のワイヤレス通信デバイスに、第２のワイヤレス通信デバイスから、第２の周波数バンドにおいて第１のワイヤレス通信デバイスのためのアップリンク割り振りを示す構成を送信することを行わせるためのコードを備える。コンピュータ読み取り可能な媒体はさらに、ここにおいて、第２の周波数バンドが第１の周波数バンドより高い周波数にあることを含む。コンピュータ読み取り可能な媒体はさらに、ここにおいて、第２のネットワークがロングタームエボリューション（ＬＴＥ）ネットワークであることを含む。
【００９１】
[0100]  本開示の実施形態はさらに、第１の周波数バンドにおいて、第１のネットワークにランダムアクセス要求を送信するための手段（例えば、トランシーバ６１０およびアンテナ６１６）、ここにおいて、第１の周波数バンドは、第１のネットワークおよび第２のネットワークによって共有される、と、ランダムアクセス要求に応答して、第１のネットワークの第２のワイヤレス通信デバイスからランダムアクセス応答を受信するための手段（例えば、トランシーバ６１０およびアンテナ６１６）、ここにおいて、ランダムアクセス応答は、第１のネットワークに割り振られた第２の周波数バンドにあり、第２の周波数バンドは、第１の周波数バンドとは異なる、と、を備える装置を含む。
【００９２】
[0101]  装置はさらに、第１のネットワークおよび第２のネットワークによって共有される１つまたは複数の周波数バンドにおけるランダムアクセスリソース割り振りを示すシステム情報を受信するための手段（例えば、トランシーバ６１０およびアンテナ６１６）を備え、ここにおいて、１つまたは複数の周波数バンドは、第１の周波数バンドを含み、ここにおいて、ランダムアクセス要求を送信するための手段は、ランダムアクセスリソース割り振りに基づいて、ランダムアクセス要求を送信するようにさらに構成される。装置はさらに、ここにおいて、１つまたは複数の周波数バンドが第２のネットワークのアップリンク周波数バンドであることを含む。装置はさらに、ここにおいて、システム情報を受信するための手段が、第２の周波数バンドにおいてシステム情報を受信するようにさらに構成されることを含む。装置はさらに、第１の周波数バンドにおいて第２のワイヤレス通信デバイスに接続要求を送信するための手段（例えば、トランシーバ６１０およびアンテナ６１６）を備える。装置はさらに、第２のワイヤレス通信デバイスから、第２の周波数バンドにおいて、装置のためのアップリンク割り振りを示す構成を受信するための手段（例えば、トランシーバ６１０およびアンテナ６１６）を備える。装置はさらに、ここにおいて、第２の周波数バンドが第１の周波数バンドより高い周波数にあることを含む。装置はさらに、ここにおいて、第２のネットワークがロングタームエボリューション（ＬＴＥ）ネットワークであることを含む。
【００９３】
[0102]  本開示の実施形態はさらに、第１の周波数バンドにおいて第２のワイヤレス通信デバイスから、装置に関連する第１のネットワークへのランダムアクセス要求を受信するための手段（例えば、トランシーバ７１０およびアンテナ７１６）、ここにおいて、第１の周波数バンドは、第１のネットワークおよび第２のネットワークによって共有される、と、ランダムアクセス要求に応答して、第２のワイヤレス通信デバイスにランダムアクセス応答を送信するための手段（例えば、トランシーバ７１０およびアンテナ７１６）、ここにおいて、ランダムアクセス応答は、第１のネットワークに割り振られた第２の周波数バンドにあり、第２の周波数バンドは、第１の周波数バンドとは異なる、と、を備える装置を含む。
【００９４】
[0103]  装置はさらに、第１のネットワークおよび第２のネットワークによって共有される１つまたは複数の周波数バンドにおけるランダムアクセスリソース割り振りを示すシステム情報を送信するための手段（例えば、トランシーバ７１０およびアンテナ７１６）を備え、ここにおいて、１つまたは複数の周波数バンドは、第１の周波数バンドを含み、ランダムアクセス要求を受信するための手段は、ランダムアクセスリソース割り振りに基づいて、ランダムアクセス要求を受信するようにさらに構成される。装置はさらに、ここにおいて、１つまたは複数の周波数バンドが第２のネットワークのアップリンク周波数バンドであることを含む。装置はさらに、ここにおいて、システム情報を送信するための手段が第２の周波数バンドにおいてシステム情報を送信するようにさらに構成されることを含む。装置はさらに、第１の周波数バンドにおいて第２のワイヤレス通信デバイスから接続要求を受信するための手段（例えば、トランシーバ７１０およびアンテナ７１６）を備える。装置はさらに、第２のワイヤレス通信デバイスから、第２の周波数バンドにおいて、装置のためのアップリンク割り振りを示す構成を送信するための手段（例えば、トランシーバ７１０およびアンテナ７１６）を備える。装置はさらに、ここにおいて、第２の周波数バンドが第１の周波数バンドより高い周波数にあることを含む。装置はさらに、ここにおいて、第２のネットワークがロングタームエボリューション（ＬＴＥ）ネットワークであることを含む。
【００９５】
[0104]  これより当業者が認識することになるように、そして間近の特定の用途に応じて、多くの修正、置換え、およびバリエーションが、本開示のデバイスの素材、装置、構成、および使用方法において、およびそれらに対して、その精神および範囲から逸脱することなく、成されることができる。この点から、ここに例示および説明された特定の実施形態は本開示の単なるいくつかの例であるので、本開示の範囲はそれらの範囲に限定されるべきではなく、むしろ、以下に添付される特許請求の範囲およびそれらの機能的な同等物の適用範囲（the scope）全体に相応するべきである。
以下に本願の出願当初の特許請求の範囲に記載された発明を付記する。
[Ｃ１]  ワイヤレス通信の方法であって、
第１の周波数バンドにおいて、第１のワイヤレス通信デバイスによって、第１のネットワークにランダムアクセス要求を送信することと、
前記ランダムアクセス要求に応答して、前記第１のワイヤレス通信デバイスによって、前記第１のネットワークの第２のワイヤレス通信デバイスからランダムアクセス応答を受信することと、ここにおいて、前記ランダムアクセス応答は、時分割複信（ＴＤＤ）通信のために前記第１のネットワークに割り振られた第２の周波数バンドにあり、前記第２の周波数バンドは、前記第１の周波数バンドとは異なる、
を備える、方法。
[Ｃ２]  前記第１のワイヤレス通信デバイスによって、前記第１の周波数バンドを含む１つまたは複数の周波数バンドにおけるランダムアクセスリソース割り振りを示すシステム情報を受信することをさらに備え、ここにおいて、前記ランダムアクセス要求を前記送信することは、前記ランダムアクセスリソース割り振りに基づいて、前記ランダムアクセス要求を送信することを含む、Ｃ１に記載の方法。
[Ｃ３]  前記システム情報を前記受信することは、前記第１のネットワークおよび前記第１のネットワークとは異なる第２のネットワークによって共有される前記１つまたは複数の周波数バンドにおける前記ランダムアクセスリソース割り振りを示す前記システム情報を受信することを含む、Ｃ２に記載の方法。
[Ｃ４]  前記第２のネットワークは、ロングタームエボリューション（ＬＴＥ）ネットワークである、Ｃ３に記載の方法。
[Ｃ５]  前記システム情報を前記受信することは、前記第２の周波数バンドにおいて前記システム情報を受信することを含む、Ｃ２に記載の方法。
[Ｃ６]  前記第１のワイヤレス通信デバイスによって、前記第１の周波数バンドにおいて前記第２のワイヤレス通信デバイスに接続要求を送信することをさらに備える、Ｃ２に記載の方法。
[Ｃ７]  前記第１のワイヤレス通信デバイスによって、前記第２のワイヤレス通信デバイスから、前記第２の周波数バンドにおいて前記第１のワイヤレス通信デバイスのためのアップリンク割り振りを示す構成を受信することをさらに備える、Ｃ１に記載の方法。
[Ｃ８]  前記第２の周波数バンドは、前記第１の周波数バンドより高い周波数にある、Ｃ１に記載の方法。
[Ｃ９]  ワイヤレス通信の方法であって、
第１のワイヤレス通信デバイスによって、第１の周波数バンドにおいて第２のワイヤレス通信デバイスから第１のネットワークへのランダムアクセス要求を受信することと、
前記第１のワイヤレス通信デバイスによって、前記ランダムアクセス要求に応答して前記第２のワイヤレス通信デバイスにランダムアクセス応答を送信することと、ここにおいて、前記ランダムアクセス応答は、時分割複信（ＴＤＤ）通信のために前記第１のネットワークに割り振られた第２の周波数バンドにあり、前記第２の周波数バンドは、前記第１の周波数バンドとは異なる、
を備える、方法。
[Ｃ１０]  前記第１のワイヤレス通信デバイスによって、前記第１の周波数バンドを含む１つまたは複数の周波数バンドにおけるランダムアクセスリソース割り振りを示すシステム情報を送信することをさらに備え、ここにおいて、前記ランダムアクセス要求を前記受信することは、前記ランダムアクセスリソース割り振りに基づいて、前記ランダムアクセス要求を受信することを含む、Ｃ９に記載の方法。
[Ｃ１１]  前記第１のワイヤレス通信デバイスによって、前記第１のネットワークおよび前記第１のネットワークとは異なる第２のネットワークによって共有される前記１つまたは複数の周波数バンドにおける前記ランダムアクセスリソース割り振りを構成することをさらに備える、Ｃ１０に記載の方法。
[Ｃ１２]  前記第２のネットワークは、ロングタームエボリューション（ＬＴＥ）ネットワークである、Ｃ１１に記載の方法。
[Ｃ１３]  前記システム情報を前記送信することは、前記第２の周波数バンドにおいて前記システム情報を送信することを含む、Ｃ１０に記載の方法。
[Ｃ１４]  前記第１のワイヤレス通信デバイスによって、前記第１の周波数バンドにおいて前記第２のワイヤレス通信デバイスから接続要求を受信することをさらに備える、Ｃ９に記載の方法。
[Ｃ１５]  前記第１のワイヤレス通信デバイスによって、前記第２のワイヤレス通信デバイスから、前記第２の周波数バンドにおいて前記第１のワイヤレス通信デバイスのためのアップリンク割り振りを示す構成を送信することをさらに備える、Ｃ９に記載の方法。
[Ｃ１６]  前記第２の周波数バンドは、前記第１の周波数バンドより高い周波数にある、Ｃ９に記載の方法。
[Ｃ１７]  装置であって、
トランシーバを備え、前記トランシーバは、
第１の周波数バンドにおいて、第１のネットワークにランダムアクセス要求を送信することと、
前記ランダムアクセス要求に応答して、前記第１のネットワークの第２のワイヤレス通信デバイスからランダムアクセス応答を受信することと、ここにおいて、前記ランダムアクセス応答は、時分割複信（ＴＤＤ）通信のために前記第１のネットワークに割り振られた第２の周波数バンドにあり、前記第２の周波数バンドは、前記第１の周波数バンドとは異なる、
を行うように構成される、装置。
[Ｃ１８]  前記トランシーバは、
前記第１の周波数バンドを含む１つまたは複数の周波数バンドにおけるランダムアクセスリソース割り振りを示すシステム情報を受信することと、
前記ランダムアクセスリソース割り振りに基づいて、前記ランダムアクセス要求を送信することと、
を行うようにさらに構成される、Ｃ１７に記載の装置。
[Ｃ１９]  前記１つまたは複数の周波数バンドは、前記第１のネットワークとは異なる第２のネットワークのアップリンク周波数バンドである、Ｃ１８に記載の装置。
[Ｃ２０]  前記トランシーバは、前記第２の周波数バンドにおいて前記システム情報を受信するようにさらに構成される、Ｃ１８に記載の装置。
[Ｃ２１]  前記トランシーバは、前記第１の周波数バンドにおいて前記第２のワイヤレス通信デバイスに接続要求を送信するようにさらに構成される、Ｃ１８に記載の装置。
[Ｃ２２]  前記トランシーバは、前記第２のワイヤレス通信デバイスから、前記第２の周波数バンドにおいて、前記装置のためのアップリンク割り振りを示す構成を受信するようにさらに構成される、Ｃ１７に記載の装置。
[Ｃ２３]  前記第２の周波数バンドは、前記第１の周波数バンドより高い周波数にある、Ｃ１７に記載の装置。
[Ｃ２４]  装置であって、
トランシーバを備え、前記トランシーバは、
第１の周波数バンドにおいて第２のワイヤレス通信デバイスから、第１のネットワークへのランダムアクセス要求を受信することと、
前記ランダムアクセス要求に応答して、前記第２のワイヤレス通信デバイスにランダムアクセス応答を送信することと、ここにおいて、前記ランダムアクセス応答は、時分割複信（ＴＤＤ）通信のために前記第１のネットワークに割り振られた第２の周波数バンドにあり、前記第２の周波数バンドは、前記第１の周波数バンドとは異なる、
を行うように構成される、装置。
[Ｃ２５]  前記トランシーバは、
前記第１の周波数バンドを含む１つまたは複数の周波数バンドにおけるランダムアクセスリソース割り振りを示すシステム情報を送信することと、
前記ランダムアクセスリソース割り振りに基づいて、前記ランダムアクセス要求を受信することと、
を行うようにさらに構成される、Ｃ２４に記載の装置。
[Ｃ２６]  前記１つまたは複数の周波数バンドは、前記第１のネットワークとは異なる第２のネットワークのアップリンク周波数バンドである、Ｃ２５に記載の装置。
[Ｃ２７]  前記トランシーバは、前記第２の周波数バンドにおいて前記システム情報を送信するようにさらに構成される、Ｃ２６に記載の装置。
[Ｃ２８]  前記トランシーバは、前記第１の周波数バンドにおいて前記第２のワイヤレス通信デバイスから接続要求を受信するようにさらに構成される、Ｃ２４に記載の装置。
[Ｃ２９]  前記トランシーバは、前記第２のワイヤレス通信デバイスから、前記第２の周波数バンドにおいて、前記装置のためのアップリンク割り振りを示す構成を送信するようにさらに構成される、Ｃ２４に記載の装置。
[Ｃ３０]  前記第２の周波数バンドは、前記第１の周波数バンドより高い周波数にある、Ｃ２４に記載の装置。
【図１】
0006746807.tif 000002
【図２】
0006746807.tif 000003
【図３】
0006746807.tif 000004
【図４】
0006746807.tif 000005
【図５】
0006746807.tif 000006
【図６】
0006746807.tif 000007
【図７】
0006746807.tif 000008
【図８】
0006746807.tif 000009
【図９】
0006746807.tif 000010
【図１０】
0006746807.tif 000011